(57)【要約】【課題】プラグを有するプラグデバイスや、ジャックを有するジャックデバイスにおいて、プラグやジャックの端子に割り当てる電気的な機能を切り替える。【解決手段】プラグを有するペリフェラルデバイスは、プラグが挿入されたジャックを有するジャックデバイスが、多重化データを扱うことができる対応デバイスであるかどうかを検出し、ジャックを有するホストデバイスは、ジャックに挿入されたプラグを有するプラグデバイスが、対応デバイスであるかどうかを検出する。ペリフェラルデバイス及びホストデバイスでは、それぞれが対応デバイスである場合に、多重化データが送受信されるとともに、プラグやジャックの端子の電気的な機能の割り当てが行われる。本技術は、ジャック、又は、プラグを有する、例えば、音楽プレーヤやヘッドセット等に適用できる。【選択図】図３
2015204166.tif 000002
【特許請求の範囲】
【請求項１】
ジャックを有するジャックデバイスの前記ジャックに挿入される多極プラグと、
物理量を電気信号に変換、又は、電気信号を物理量に変換する変換部と、
前記ジャックデバイスが、前記変換部に入出力される前記電気信号を多重化した多重化データを扱うことができる対応デバイスであるかどうかを検出する検出部と、
前記ジャックデバイスが前記対応デバイスである場合に、前記多重化データを、前記多極プラグの所定の端子を介して送信又は受信する送受信処理部と、
前記多極プラグの前記所定の端子以外の端子の電気的な機能の割り当てを行う機能切り替え部と
を備えるペリフェラルデバイス。
【請求項２】
前記機能切り替え部は、前記対応デバイスに基づいて、前記所定の端子以外の端子の電気的な機能の割り当てを行う
請求項１に記載のペリフェラルデバイス。
【請求項３】
前記機能切り替え部は、前記対応デバイスに関するデバイス情報に基づいて、前記所定の端子以外の端子の電気的な機能の割り当てを行う
請求項２に記載のペリフェラルデバイス。
【請求項４】
前記デバイス情報は、前記送受信処理部が受信する、前記対応デバイスからの多重化データに含まれる
請求項３に記載のペリフェラルデバイス。
【請求項５】
前記多極プラグは、単頭プラグである
請求項４に記載のペリフェラルデバイス。
【請求項６】
前記所定の端子は、前記多極プラグの最も根元側の端子である
請求項５に記載のペリフェラルデバイス。
【請求項７】
前記機能切り替え部は、複数の機能の中から、前記所定の端子以外の端子に割り当てる電気的な機能を選択する
請求項６に記載のペリフェラルデバイス。
【請求項８】
前記機能切り替え部が前記所定の端子以外の端子に割り当てる電気的な機能には、電源を授受する機能が含まれる
請求項７に記載のペリフェラルデバイス。
【請求項９】
前記所定の端子以外の1個の端子に、電源を授受する機能が割り当てられ、前記1個の端子から、前記対応デバイスに、電源となる電力が供給される場合において、
前記所定の端子を介しての前記多重化データの通信状態に応じて、前記電源となる電力の供給を制御する
請求項８に記載のペリフェラルデバイス。
【請求項１０】
ジャックを有するジャックデバイスの前記ジャックに挿入される多極プラグと、
物理量を電気信号に変換、又は、電気信号を物理量に変換する変換部と、
前記ジャックデバイスが、前記変換部に入出力される前記電気信号を多重化した多重化データを扱うことができる対応デバイスであるかどうかを検出する検出部と、
前記ジャックデバイスが前記対応デバイスである場合に、前記多重化データを、前記多極プラグの所定の端子を介して送信又は受信する送受信処理部と
を備えるペリフェラルデバイスが、
前記多極プラグの前記所定の端子以外の端子の電気的な機能の割り当てを行う
ステップを含むペリフェラルデバイスの処理方法。
【請求項１１】
多極プラグを有するプラグデバイスの前記多極プラグが挿入される多極ジャックと、
前記プラグデバイスが、物理量を電気信号に変換、又は、電気信号を物理量に変換する変換部に入出力される前記電気信号を多重化した多重化データを扱うことができる対応デバイスであるかどうかを検出する検出部と、
前記プラグデバイスが前記対応デバイスである場合に、前記多重化データを、前記多極ジャックの所定の端子を介して送信又は受信する送受信処理部と
前記多極ジャックの前記所定の端子以外の端子の電気的な機能の割り当てを行う機能切り替え部と
を備えるホストデバイス。
【請求項１２】
前記機能切り替え部は、前記対応デバイスに基づいて、前記所定の端子以外の端子の電気的な機能の割り当てを行う
請求項１１に記載のホストデバイス。
【請求項１３】
前記機能切り替え部は、前記対応デバイスに関するデバイス情報に基づいて、前記所定の端子以外の端子の電気的な機能の割り当てを行う
請求項１２に記載のホストデバイス。
【請求項１４】
前記デバイス情報は、前記送受信処理部が受信する、前記対応デバイスからの多重化データに含まれる
請求項１３に記載のホストデバイス。
【請求項１５】
前記多極ジャックは、単頭プラグが挿入される単頭ジャックである
請求項１４に記載のホストデバイス。
【請求項１６】
前記所定の端子は、前記多極ジャックの最も挿入口側の端子である
請求項１５に記載のホストデバイス。
【請求項１７】
前記機能切り替え部は、複数の機能の中から、前記所定の端子以外の端子に割り当てる電気的な機能を選択する
請求項１６に記載のホストデバイス。
【請求項１８】
前記機能切り替え部が前記所定の端子以外の端子に割り当てる電気的な機能には、電源を授受する機能が含まれる
請求項１７に記載のホストデバイス。
【請求項１９】
前記所定の端子以外の1個の端子に、電源を授受する機能が割り当てられ、前記1個の端子から、前記対応デバイスに、電源となる電力が供給される場合において、
前記所定の端子を介しての前記多重化データの通信状態に応じて、前記電源となる電力の供給を制御する
請求項１８に記載のホストデバイス。
【請求項２０】
多極プラグを有するプラグデバイスの前記多極プラグが挿入される多極ジャックと、
前記プラグデバイスが、物理量を電気信号に変換、又は、電気信号を物理量に変換する変換部に入出力される前記電気信号を多重化した多重化データを扱うことができる対応デバイスであるかどうかを検出する検出部と、
前記プラグデバイスが前記対応デバイスである場合に、前記多重化データを、前記多極ジャックの所定の端子を介して送信又は受信する送受信処理部と
を備えるホストデバイスが、
前記多極ジャックの前記所定の端子以外の端子の電気的な機能の割り当てを行う
ステップを含むホストデバイスの処理方法。
【発明の詳細な説明】
【技術分野】
【０００１】
本技術は、ペリフェラルデバイス、ホストデバイス、及び、処理方法に関し、特に、例えば、プラグを有するプラグデバイスや、ジャックを有するジャックデバイスにおいて、プラグやジャックの端子に割り当てる電気的な機能を切り替えることができるようにするペリフェラルデバイス、ホストデバイス、及び、処理方法に関する。
【背景技術】
【０００２】
プラグを有するプラグデバイスや、ジャックを有するジャックデバイスとしては、例えば、特許文献１に記載の被充電機器や、データ保持機器、充電アダプタがある。
【０００３】
特許文献１に記載の被充電機器は、プラグを有するプラグデバイスであり、データ保持機器、及び、充電アダプタは、ジャックを有するジャックデバイスである。
【０００４】
被充電機器のプラグには、データを伝送するデータラインが接続されている。被充電機器のプラグが、データ保持機器のジャックに接続された場合、被充電機器では、データ保持機器からデータラインを介して、データが取得される。
【０００５】
また、充電アダプタは、メカニカルな検出スイッチを有し、その検出スイッチによって、被充電機器のプラグの、充電アダプタのジャックへの接続が、メカニカルに検出された場合、被充電機器では、データラインを利用して、被充電機器が内蔵する内蔵電池が充電される。
【先行技術文献】
【特許文献】
【０００６】
【特許文献１】特開2013-055774号公報
【発明の概要】
【発明が解決しようとする課題】
【０００７】
ところで、近年においては、プラグデバイスとジャックデバイスとの間で、複数の電気信号を多重化した多重化データの送受信を行いつつ、プラグやジャックの端子の電気的な機能を切り替えることができる技術の提案が要請されている。
【０００８】
本技術は、このような状況に鑑みてなされたものであり、プラグデバイスとジャックデバイスとの間で、複数の電気信号を多重化した多重化データの送受信を行いつつ、プラグやジャックの端子の電気的な機能を切り替えることができるようにするものである。
【課題を解決するための手段】
【０００９】
本技術のペリフェラルデバイスは、ジャックを有するジャックデバイスの前記ジャックに挿入される多極プラグと、物理量を電気信号に変換、又は、電気信号を物理量に変換する変換部と、前記ジャックデバイスが、前記変換部に入出力される前記電気信号を多重化した多重化データを扱うことができる対応デバイスであるかどうかを検出する検出部と、前記ジャックデバイスが前記対応デバイスである場合に、前記多重化データを、前記多極プラグの所定の端子を介して送信又は受信する送受信処理部と、前記多極プラグの前記所定の端子以外の端子の電気的な機能の割り当てを行う機能切り替え部とを備えるペリフェラルデバイスである。
【００１０】
本技術のペリフェラルデバイスの処理方法は、ジャックを有するジャックデバイスの前記ジャックに挿入される多極プラグと、物理量を電気信号に変換、又は、電気信号を物理量に変換する変換部と、前記ジャックデバイスが、前記変換部に入出力される前記電気信号を多重化した多重化データを扱うことができる対応デバイスであるかどうかを検出する検出部と、前記ジャックデバイスが前記対応デバイスである場合に、前記多重化データを、前記多極プラグの所定の端子を介して送信又は受信する送受信処理部とを備えるペリフェラルデバイスが、前記多極プラグの前記所定の端子以外の端子の電気的な機能の割り当てを行うステップを含むペリフェラルデバイスの処理方法である。
【００１１】
本技術のペリフェラルデバイス、及び、その処理方法においては、前記ジャックデバイスが、前記変換部に入出力される前記電気信号を多重化した多重化データを扱うことができる対応デバイスであるかどうかが検出され、前記ジャックデバイスが前記対応デバイスである場合に、前記多重化データが、前記多極プラグの所定の端子を介して送信又は受信される。また、前記多極プラグの前記所定の端子以外の端子の電気的な機能の割り当てが行われる。
【００１２】
本技術のホストデバイスは、多極プラグを有するプラグデバイスの前記多極プラグが挿入される多極ジャックと、前記プラグデバイスが、物理量を電気信号に変換、又は、電気信号を物理量に変換する変換部に入出力される前記電気信号を多重化した多重化データを扱うことができる対応デバイスであるかどうかを検出する検出部と、前記プラグデバイスが前記対応デバイスである場合に、前記多重化データを、前記多極ジャックの所定の端子を介して送信又は受信する送受信処理部と前記多極ジャックの前記所定の端子以外の端子の電気的な機能の割り当てを行う機能切り替え部とを備えるホストデバイスである。
【００１３】
本技術のホストデバイスの処理方法は、多極プラグを有するプラグデバイスの前記多極プラグが挿入される多極ジャックと、前記プラグデバイスが、物理量を電気信号に変換、又は、電気信号を物理量に変換する変換部に入出力される前記電気信号を多重化した多重化データを扱うことができる対応デバイスであるかどうかを検出する検出部と、前記プラグデバイスが前記対応デバイスである場合に、前記多重化データを、前記多極ジャックの所定の端子を介して送信又は受信する送受信処理部とを備えるホストデバイスが、前記多極ジャックの前記所定の端子以外の端子の電気的な機能の割り当てを行うステップを含むホストデバイスの処理方法である。
【００１４】
本技術のホストデバイス、及び、その処理方法においては、前記プラグデバイスが、物理量を電気信号に変換、又は、電気信号を物理量に変換する変換部に入出力される前記電気信号を多重化した多重化データを扱うことができる対応デバイスであるかどうかが検出され、前記プラグデバイスが前記対応デバイスである場合に、前記多重化データが、前記多極ジャックの所定の端子を介して送信又は受信される。また、前記多極ジャックの前記所定の端子以外の端子の電気的な機能の割り当てが行われる。
【００１５】
なお、ホストデバイスやプラグデバイスは、独立した装置であっても良いし、１つの装置を構成している内部ブロックであっても良い。
【発明の効果】
【００１６】
本技術によれば、例えば、プラグデバイスとジャックデバイスとの間で、複数の電気信号を多重化した多重化データの送受信を行いつつ、プラグやジャックの端子の電気的な機能を切り替えることができる。
【００１７】
なお、ここに記載された効果は必ずしも限定されるものではなく、本開示中に記載されたいずれかの効果であってもよい。
【図面の簡単な説明】
【００１８】
【図１】本技術を適用した信号処理システムの一実施の形態の構成例を示すブロック図である。
【図２】本技術を適用した信号処理システムの一実施の形態の構成例を示すブロック図である。
【図３】信号処理システムの第１の具体例を示すブロック図である。
【図４】信号処理システムの第２の具体例を示すブロック図である。
【図５】信号処理システムの第３の具体例を示すブロック図である。
【図６】ジャック１１への、プラグ２１の挿抜を説明する図である。
【図７】抜去状態から、プラグ２１をジャック１１に挿入する様子を示す図である。
【図８】プラグ２１がジャック１１に挿入されるときの、その挿入の状態の変化を説明するフローチャートである。
【図９】ホストデバイス１０からペリフェラルデバイス２０に、電源となる電力が供給される場合において、プラグ２１がジャック１１に挿入されるときの、意図しない短絡の保護技術を説明する図である。
【図１０】意図しない短絡の保護技術を説明するフローチャートである。
【図１１】完挿状態から、プラグ２１をジャック１１から抜去する様子を示す図である。
【図１２】ホストデバイス１０からペリフェラルデバイス２０に、電源となる電力が供給される場合において、プラグ２１がジャック１１から抜去されるときの、意図しない短絡の保護技術を説明する図である。
【図１３】プラグ２１の挿抜を検出するメカニカルな検出機構を説明する図である。
【図１４】ペリフェラルデバイス２０からホストデバイス１０に、電源となる電力が供給される場合において、プラグ２１がジャック１１に挿入されるときの、意図しない短絡の保護技術を説明する図である。
【図１５】ペリフェラルデバイス２０からホストデバイス１０に、電源となる電力が供給される場合において、プラグ２１がジャック１１から抜去されるときの、意図しない短絡の保護技術を説明する図である。
【図１６】ホストデバイス１０からペリフェラルデバイス２０に、電源となる電力が供給される場合において、プラグ２１の挿抜時に、電源短絡を防止する方法を説明する図である。
【図１７】ペリフェラルデバイス２０からホストデバイス１０に、電源となる電力が供給される場合において、プラグ２１の挿抜時に、電源短絡を防止する方法を説明する図である。
【図１８】本技術を適用したコンピュータの一実施の形態の構成例を示すブロック図である。
【発明を実施するための形態】
【００１９】
＜本技術を適用した信号処理システムの一実施の形態＞
【００２０】
図１は、本技術を適用した信号処理システムの一実施の形態の構成例を示すブロック図である。
【００２１】
図１において、信号処理システムは、ホストデバイス１０とペリフェラルデバイス２０とを有する。
【００２２】
ホストデバイス１０は、ジャック１１、対応検出部１２、送受信処理部１３、制御部１４、機能切り替え部１５、1個以上のK個の機能ブロック１６１，１６２，...，１６Ｋ、記憶部１７、及び、信号処理部１８を有する。
【００２３】
ホストデバイス１０は、ジャック１１を有するので、ジャックデバイスである。
【００２４】
ジャック１１は、例えば、多極単頭プラグが挿入される多極単頭ジャックであり、複数であるN個の端子（N極）J1，J2，...，J#Nを有する。
【００２５】
ジャック１１のN個の端子J1ないしJ#Nのうちの所定の端子である、例えば、端子J1は、多重化データの送受信に用いられる多重化通信線JLに接続されており、さらに、その多重化通信線JLを介して、対応検出部１２、及び、送受信処理部１３に接続されている。
【００２６】
ジャック１１のN個の端子J1ないしJ#Nのうちの、端子J1以外の1個の端子J#M（Mは、2以上N以下の整数）は、グランド(ground)に接続されている(接地されている)。
【００２７】
そして、ジャック１１の端子J1ないしJ#Nのうちの、残りのN-2個の端子J#n（端子J1及びJ#M以外のN-2個の端子J#n）は、機能切り替え部１５に接続されている。
【００２８】
対応検出部１２は、ジャック１１にプラグが挿入されたプラグデバイスが、所定の多重化データを扱うことができるデバイス（以下、対応デバイスともいう）であるかどうかを検出する。
【００２９】
すなわち、対応検出部１２は、多重化通信線JLを監視しており、多重化通信線JLを介して、所定の認証パターンPTNPの多重化データを受信すると、ジャック１１にプラグが挿入されたプラグデバイスが、対応デバイスであることを検出する。
【００３０】
対応検出部１２は、ジャック１１にプラグが挿入されたプラグデバイスが、所定の多重化データを扱うことができる対応デバイスであるかどうかの検出結果を表す検出情報を、送受信処理部１３に供給する。また、対応検出部１２は、必要に応じて、検出情報に基づき、機能切り替え部１５を制御する。
【００３１】
ここで、ホストデバイス１０、及び、ペリフェラルデバイス２０は、後述するように、多重化データを扱うことができるので、いずれも、対応デバイスである。
【００３２】
送受信処理部１３は、対応検出部１２からの検出情報が、ジャック１１に（プラグが）挿入されたプラグデバイスが対応デバイスであることを表している場合、多重化通信線JL及び端子J1を介して、ジャック１１に挿入されたプラグデバイス（対応デバイス）との間で、多重化データを送受信する。
【００３３】
すなわち、送受信処理部１３は、例えば、制御部１４や信号処理部１８から供給される複数のディジタル信号（情報）を、所定のフォーマットの多重化データに多重化し（例えば、多重化データとしての所定のビット長のフレームの各ビットに、あらかじめ決められた情報を表すディジタル信号を配置し）、多重化通信線JL及び端子J1を介して、ジャック１１にプラグが挿入されたプラグデバイスに送信する。
【００３４】
また、送受信処理部１３は、ジャック１１にプラグが挿入されたプラグデバイスから送信されてくる多重化データを、多重化通信線JL及び端子J1を介して受信し、その多重化データの多重化を解く（デシリアラズ）（復調）こと等によって、多重化データを、元の複数のディジタル信号に分離する。そして、送受信処理部１３は、多重化データから分離したディジタル信号を、信号処理部１８や制御部１４に供給する。
【００３５】
さらに、送受信処理部１３は、多重化データの通信状態を表す通信状態情報を、制御部１４に供給する。
【００３６】
制御部１４は、ホストデバイス１０全体を制御する。
【００３７】
また、制御部１４は、送受信処理部１３からの情報（信号）に応じて、機能切り替え部１５を制御する。
【００３８】
さらに、制御部１４は、必要に応じて、記憶部１７から、ホストデバイス１０に関するデバイス情報を読み出し、送受信処理部１３に供給する。ここで、送受信処理部１３は、制御部１４から供給されるデバイス情報を、多重化データに含め、多重化通信線JL及び端子J1を介して、ジャック１１にプラグが挿入されたプラグデバイスに送信する。
【００３９】
機能切り替え部１５は、例えば、対応検出部１２や、制御部１４、信号処理部１８の制御に応じて、ジャック１１の端子J#nと、機能ブロック１６１ないし１６Ｋのうちのいずれかの機能ブロック１６ｋとを電気的に接続することで、ジャック１１の端子J#nに対して、機能ブロック１６ｋが有する電気的な機能を割り当てる。
【００４０】
したがって、機能切り替え部１５は、ジャック１１の端子J#nと接続する機能ブロック１６ｋを変更することで、その端子J#nに割り当てる電気的な機能を切り替えることができる。
【００４１】
機能ブロック１６ｋは、所定の機能を提供する。機能ブロック１６ｋが提供する機能としては、例えば、電源（となる電力）を授受する電源機能や、アナログ音響を出力するアナログ音響出力機能、アナログ音響を取り込む（入力する）アナログ音響入力機能等がある。
【００４２】
機能ブロック１６ｋが、例えば、電源機能を提供する場合、機能ブロック１６ｋは、例えば、図示せぬバッテリ等から電源となる電力を、機能切り替え部１５側に出力する。又は、機能ブロック１６ｋは、機能切り替え部１５側から電力の供給を受けて、その電力によって、図示せぬバッテリを充電する。
【００４３】
機能ブロック１６ｋが、例えば、アナログ音響出力機能を有する場合、機能ブロック１６ｋは、例えば、信号処理部１８から供給されるディジタルの音響信号を取得し、DA(Digital to Analog)変換を行い、必要に応じて増幅して、その結果得られるアナログの音響信号を、機能切り替え部１５側に出力する。
【００４４】
機能ブロック１６ｋが、例えば、アナログ音響入力機能を有する場合、機能ブロック１６ｋは、例えば、抵抗でプルアップされた信号線であって、かつ、一端が機能切り替え部１５に接続され、他端が信号処理部１８に接続された信号線を有し、機能切り替え部１５側から供給されるアナログの音響信号を、プルアップされた信号線を介して、信号処理部１８に供給する。
【００４５】
記憶部１７は、ホストデバイス１０に関するデバイス情報を記憶している。デバイス情報には、例えば、ホストデバイス１０がどのような種類のデバイス（例えば、スマートフォンや、タブレット、PC(Personal Computer）等）であるのかを表す情報や、ホストデバイス１０が有する機能（機能ブロック１６１ないし１６Ｋの機能や、信号処理部１８で行うことができる信号処理）を表す情報、ジャック１１に接続（挿入）されたプラグデバイス（の種類）に対して、ホストデバイス１０が有する機能のうちのいずれを提供するかを表す情報等を含めることができる。
【００４６】
また、デバイス情報には、ホストデバイス１０の製造会社等を特定するベンダID(Identification)や、ホストデバイス１０（個体）の機種等を特定するプロダクトIDを含めることができる。
【００４７】
さらに、デバイス情報には、ホストデバイス１０の構成や、型式、用途、性能等を表す構成情報を含めることができる。
【００４８】
信号処理部１８は、例えば、送受信処理部１３から供給される、多重化データから分離されたディジタル信号や、機能ブロック１６ｋから供給される信号を用いて、各種の信号処理を行う。
【００４９】
また、信号処理部１８は、必要に応じて、信号処理等によって得られる信号の、機能ブロック１６ｋへの供給や、ペリフェラルデバイス２０へのコマンド等の、送受信処理部１３への供給等を行う。
【００５０】
なお、ジャック１１に、対応デバイスであるペリフェラルデバイス２０のプラグ２１が挿入された場合、送受信処理部１３が、ペリフェラルデバイス２０との間で、端子J1及び多重化通信線JLを介してやりとりする多重化データには、ペリフェラルデバイス２０の後述するデバイス情報を含めることができる。
【００５１】
制御部１４や信号処理部１８は、多重化データから分離されるペリフェラルデバイス２０のデバイス情報に基づいて、機能切り替え部１５を制御することができる。
【００５２】
また、信号処理部１８は、多重化データから分離されるペリフェラルデバイス２０のデバイス情報に基づいて、そのペリフェラルデバイス２０用の信号処理を行うことができる。
【００５３】
ペリフェラルデバイス２０は、プラグ２１、対応検出部２２、送受信処理部２３、制御部２４、機能切り替え部２５、1個以上のL個の機能ブロック２６１，２６２，...，２６Ｌ、記憶部２７、及び、複数であるR個のI/F(Interface)２８１，２８２，...，２８Ｒを有する。
【００５４】
ペリフェラルデバイス２０は、プラグ２１を有するので、プラグデバイスである。
【００５５】
プラグ２１は、例えば、多極単頭プラグであり、複数であるN個の端子（N極）P1，P2，...，P#Nを有する。プラグ２１がジャック１１に挿入された場合、プラグ２１の端子P#nは、ジャック１１の端子J#nと（電気的に）接続する。
【００５６】
プラグ２１のN個の端子P1ないしP#Nのうちの所定の端子である、例えば、端子P1は、多重化データの送受信に用いられる多重化通信線PLに接続されており、さらに、その多重化通信線PLを介して、対応検出部２２、及び、送受信処理部２３に接続されている。
【００５７】
プラグ２１のN個の端子P1ないしP#Nのうちの、端子P1以外の1個の端子P#Mは、グランドに接続されている。
【００５８】
そして、プラグ２１の端子P1ないしP#Nのうちの、残りのN-2個の端子P#n（端子P1及びP#M以外のN-2個の端子P#n）は、機能切り替え部２５に接続されている。
【００５９】
対応検出部２２は、プラグ２１がジャックに挿入されたジャックデバイスが、所定の多重化データを扱うことができる対応デバイスであるかどうかを検出する。
【００６０】
すなわち、対応検出部２２は、多重化通信線PLを監視しており、多重化通信線PLを介して、所定の認証パターンPTNJの多重化データを受信すると、プラグ２１がジャックに挿入されたジャックデバイスが、対応デバイスであることを検出する。
【００６１】
対応検出部２２は、プラグ２１がジャックに挿入されたジャックデバイスが、所定の多重化データを扱うことができる対応デバイスであるかどうかの検出結果を表す検出情報を、送受信処理部２３に供給する。また、対応検出部２２は、必要に応じて、検出情報に基づき、機能切り替え部２５を制御する。
【００６２】
送受信処理部２３は、対応検出部２２からの検出情報が、プラグ２１が（ジャックに）挿入されたジャックデバイスが対応デバイスであることを表している場合、多重化通信線PL及び端子P1を介して、プラグ２１が挿入されたジャックデバイス（対応デバイス）との間で、多重化データを送受信する。
【００６３】
すなわち、送受信処理部２３は、例えば、制御部２４やI/F２８ｒから供給される複数のディジタル信号（情報）を、所定のフォーマットの多重化データに多重化し、多重化通信線PL及び端子P1を介して、プラグ２１が挿入されたジャックデバイスに送信する。
【００６４】
また、送受信処理部２３は、プラグ２１が挿入されたジャックデバイスから送信されてくる多重化データを、端子P1及び多重化通信線PLを介して受信し、その多重化データの多重化を解くこと等によって、多重化データを、元の複数のディジタル信号に分離する。そして、送受信処理部２３は、多重化データから分離したディジタル信号を、I/F２８ｒや制御部２４に供給する。
【００６５】
さらに、送受信処理部２３は、多重化データの通信状態を表す通信状態情報を、制御部２４に供給する。
【００６６】
制御部２４は、ペリフェラルデバイス２０全体を制御する。
【００６７】
また、制御部２４は、送受信処理部２３からの情報（信号）に応じて、機能切り替え部２５を制御する。
【００６８】
さらに、制御部２４は、必要に応じて、記憶部２７から、ペリフェラルデバイス２０に関するデバイス情報を読み出し、送受信処理部２３に供給する。ここで、送受信処理部２３は、制御部２４から供給されるデバイス情報を、多重化データに含め、多重化通信線PL及び端子P1を介して、プラグ２１が挿入されたジャックデバイスに送信する。
【００６９】
機能切り替え部２５は、例えば、対応検出部２２や制御部２４の制御に応じて、プラグ２１の端子P#nと、機能ブロック２６１ないし２６Ｌのうちのいずれかの機能ブロック２６ｌとを電気的に接続することで、プラグ２１の端子P#nに対して、機能ブロック２６ｌが有する電気的な機能を割り当てる。
【００７０】
したがって、機能切り替え部２５は、プラグ２１の端子P#nと接続する機能ブロック２６ｌを変更することで、その端子P#nに割り当てる電気的な機能を切り替えることができる。
【００７１】
機能ブロック２６ｌは、所定の機能を提供する。機能ブロック２６ｌが提供する機能としては、例えば、上述した電源機能や、アナログ音響出力機能、アナログ音響入力機能等がある。
【００７２】
機能ブロック２６ｌが、例えば、電源機能を提供する場合、機能ブロック２６ｌは、例えば、図示せぬバッテリ等から電源となる電力を、機能切り替え部２５側に出力する。又は、機能ブロック２６ｌは、機能切り替え部２５側から電力の供給を受けて、その電力によって、図示せぬバッテリを充電し、若しくは、その電力を電源として動作する。
【００７３】
機能ブロック２６ｌが、以上のような電源機能を提供する場合において、プラグ２１がジャック１１に挿入されたときに、機能切り替え部２５が、プラグ２１の端子P#nに対して、機能ブロック２６ｌの電源機能を割り当てると、例えば、ホストデバイス１０では、機能切り替え部１５において、電源機能を有する機能ブロック１６ｋが、ジャック１１の端子J#nに接続されることにより、その端子J#nに対して、機能ブロック１６ｋの電源機能が割り当てられる。
【００７４】
そして、ホストデバイス１０の電源機能を有する機能ブロック１６ｋと、ペリフェラルデバイス２０の電源機能を有する機能ブロック２６ｌとの間で、機能切り替え部１５、ジャック１１の端子J#n、プラグ２１の端子P#n、及び、機能切り替え部２５を介して、電力の授受が行われる。
【００７５】
機能ブロック２６ｌが、例えば、アナログ音響出力機能を有する場合、機能ブロック２６ｌは、例えば、ドライバ（例えば、コイルと振動板等で構成される、音響信号を、空気の振動としての音響（音波）に変換するトランスデューサ）（スピーカと呼ばれることもある）を有し、機能切り替え部２５側から供給されるアナログの音響信号に対応する音響を出力（放音）する。
【００７６】
機能ブロック２６ｌが、以上のようなアナログ音響出力機能を提供する場合において、プラグ２１がジャック１１に挿入されたときに、機能切り替え部２５が、プラグ２１の端子P#nに対して、機能ブロック２６ｌのアナログ音響出力機能を割り当てると、例えば、ホストデバイス１０では、機能切り替え部１５において、アナログ音響出力機能を有する機能ブロック１６ｋが、ジャック１１の端子J#nに接続されることにより、その端子J#nに対して、機能ブロック１６ｋのアナログ音響出力機能が割り当てられる。
【００７７】
そして、ホストデバイス１０のアナログ音響出力機能を有する機能ブロック１６ｋが出力するアナログ音響信号が、機能切り替え部１５、ジャック１１の端子J#n、プラグ２１の端子P#n、及び、機能切り替え部２５を介して、ペリフェラルデバイス２０のアナログ音響出力機能を有する機能ブロック２６ｌに供給され、機能ブロック２６ｌのドライバにおいて、対応するアナログ音響が出力される。
【００７８】
機能ブロック２６ｌが、例えば、アナログ音響入力機能を有する場合、機能ブロック２６ｌは、例えば、物理量である音響（音波）を、電気信号である音響信号に変換するトランスデューサとしての図示せぬマイクを有し、例えば、ユーザの音声等の音響を集音して、対応するアナログの音響信号を、機能切り替え部２５側に出力する。
【００７９】
機能ブロック２６ｌが、以上のようなアナログ音響入力機能を提供する場合において、プラグ２１がジャック１１に挿入されたときに、機能切り替え部２５が、プラグ２１の端子P#nに対して、機能ブロック２６ｌのアナログ音響入力機能を割り当てると、例えば、ホストデバイス１０では、機能切り替え部１５において、アナログ音響入力機能を有する機能ブロック１６ｋが、ジャック１１の端子J#nに接続されることにより、その端子J#nに対して、機能ブロック１６ｋのアナログ音響入力機能が割り当てられる。
【００８０】
そして、ペリフェラルデバイス２０のアナログ音響入力機能を有する機能ブロック２６ｌのマイクが出力するアナログの音響信号が、機能切り替え部２５、プラグ２１の端子P#n、ジャック１１の端子J#n、及び、機能切り替え部１５を介して、ホストデバイス１０のアナログ音響入力機能を有する機能ブロック１６ｋに供給され、その機能ブロック１６ｋを経由して、信号処理部１８に供給される。
【００８１】
記憶部２７は、ペリフェラルデバイス２０に関するデバイス情報を記憶している。デバイス情報には、例えば、ペリフェラルデバイス２０がどのような種類のデバイス（例えば、マイクを有しないヘッドセット（ヘッドフォン、イヤフォン）や、マイクを有するヘッドセット等）であるのかを表す情報や、ペリフェラルデバイス２０が有する機能（機能ブロック２６１ないし２６Ｌの機能や、I/F２８、ないし２８Ｒの処理）を表す情報、プラグ２１が挿入されたジャックデバイス（の種類）に対して、ペリフェラルデバイス２０が有する機能のうちのいずれを提供するかを表す情報等を含めることができる。
【００８２】
また、デバイス情報には、ペリフェラルデバイス２０の製造会社等を特定するベンダIDや、ペリフェラルデバイス２０（個体）の機種等を特定するプロダクトIDを含めることができる。
【００８３】
さらに、デバイス情報には、ペリフェラルデバイス２０の構成や、型式、用途、性能等を表す構成情報を含めることができる。
【００８４】
I/F２８ｒは、送受信処理部２３との間で、電気信号をやりとりするためのインターフェースであり、I/F２８ｒでは、電気信号の、送受信処理部２３への出力、及び、送受信処理部２３からの電気信号の入力のうちの少なくとも一方が行われる。
【００８５】
I/F２８ｒとしては、例えば、USB(Universal Serial Bus)インターフェースや、GPIO(General Purpose Input/Output)インターフェース、さらには、それらのインターフェースに、対応するデバイスが接続されたもの等を採用することができる。
【００８６】
また、I/F２８１ないし２８Ｒには、物理量を電気信号としてのディジタル信号に変換し、送受信処理部２３に出力する変換部としての、物理量を入力するための物理量入力デバイスや、送受信処理部２３から入力（供給）される電気信号としてのディジタル信号を物理量に変換して出力する変換部としての、物理量を出力するための物理量出力デバイスを、複数個含めることができる。
【００８７】
物理量入力デバイスとしては、例えば、ディジタルマイク部や、スイッチ部、センサ部等があり、物理量出力デバイスとしては、例えば、ドライバ部や、発光部等がある。
【００８８】
ディジタルマイク部は、例えば、物理量としての音響を、アナログの音響信号に変換するマイク、そのアナログの音響信号を増幅するアンプ、及び、増幅後のアナログの音響信号を、1ビット等のディジタルの音響信号にAD(Analog to Digital)変換（ΔΣ変調）するADC(Analog Digital Converter)を有し、物理量としての音響を集音して、対応するディジタルの音響信号に変換し、送受信処理部２３に供給（出力）する。
【００８９】
スイッチ部は、例えば、ユーザによって押圧されるスイッチを有し、物理量としての、ユーザによるスイッチの押圧操作（圧力）を、電気信号としての、スイッチのオン又はオフを表す1ビットのディジタル信号（インピーダンス）に変換して、送受信処理部２３に供給（出力）する。
【００９０】
センサ部は、例えば、温度（体温を含む）や、湿度、光、速度等の物理量をセンシングし、対応する電気信号を出力するセンサ、及び、センサが出力する電気信号をAD変換するADCを有し、温度等の物理量をセンシングして、対応するディジタル信号に変換し、送受信処理部２３に供給（出力）する。
【００９１】
ドライバ部は、例えば、ディジタルの音響信号をDA(Digital to Analog)変換し、アナログの音響信号を出力するDAC(Digital to Analog Converter)、そのアナログの音響信号を増幅するアンプ、及び、増幅後の音響信号に対応する音響を出力するドライバ（スピーカ）を有し、送受信処理部２３から供給（入力）される、電気信号としてのディジタルの音響信号を、物理量としての対応する音響に変換して出力する。
【００９２】
発光部は、例えば、赤外線等の光を発する発光デバイスを有し、送受信処理部２３から供給される電気信号としてのディジタル信号を、物理量としての赤外線等の光に変換して出力する。
【００９３】
ここで、物理量入力デバイスや物理量出力デバイスは、その構成要素の一部又は全部を、ペリフェラルデバイス２０（の送受信処理部２３）に対して着脱可能なように構成することができる。
【００９４】
すなわち、例えば、マイク、アンプ、及び、ADCを有するディジタルマイク部は、マイクを、ペリフェラルデバイス２０に着脱可能なように構成することができる。また、例えば、DAC、アンプ、及び、ドライバを有するドライバ部は、ドライバ、又は、ドライバとアンプを、ペリフェラルデバイス２０に着脱可能なように構成することができる。
【００９５】
なお、プラグ２１が、対応デバイスであるホストデバイス１０のジャック１１に挿入された場合には、送受信処理部１３と２３との間で、多重化通信線JL、ジャック１１の端子J1、プラグ２１の端子P1、及び、多重化通信線PLを介して、ディジタルの多重化データがやりとりされる。
【００９６】
送受信処理部１３と２３との間でやりとりされる多重化データには、記憶部１７に記憶されたホストデバイス１０のデバイス情報や、記憶部２４に記憶されたペリフェラルデバイス２０のデバイス情報、ホストデバイス１０からペリフェラルデバイス２０へのコマンド、I/F２８ｒが出力するディジタル信号、I/F２８ｒに供給（入力）されるディジタル信号等を含めることができる。
【００９７】
そして、制御部２４は、多重化データから分離されるポストデバイス１０のデバイス情報に基づいて、機能切り替え部２５を制御することができる。
【００９８】
また、図１では、ホストデバイス１０において、ジャック１１の端子J1には、多重化通信線JLが接続され、多重化データの通信（以下、多重化通信ともいう）の機能が固定的に割り当てられている。さらに、ジャック１１の端子J#Mは、グランドに接続され、したがって、端子J#Mには、グランドの機能が固定的に割り当てられている。
【００９９】
以上から、ホストデバイス１０において、機能切り替え部１５が機能を割り当てる対象の端子は、ジャック１１の端子J1ないしJ#Nのうちの、端子J1及びJ#Mを除くN-2個の端子であるが、端子J1及びJ#Mも、機能切り替え部１５が機能を割り当てる対象の端子とすることが可能である。
【０１００】
この点、ペリフェラルデバイス２０のプラグ２１の端子P1ないしP#Nについても、同様である。
【０１０１】
図２は、図１の信号処理システムの動作の例を説明するフローチャートである。
【０１０２】
ステップＳ１において、ホストデバイス１０のジャック１１と、ペリフェラルデバイス２０のプラグ２１とは、未接続の状態になっている。
【０１０３】
ステップＳ２において、ユーザが、ジャック１１への、プラグ２１の挿入を開始する。ユーザが、ジャック１１への、プラグ２１の挿入を続行することで、ステップＳ３において、プラグ２１がジャック１１に完全に挿入された状態（プラグ２１を、それ以上、ジャック１１に挿入することができない状態）（以下、完挿状態ともいう）になる。
【０１０４】
プラグ２１が完挿状態になると、ジャック１１の端子J#nとプラグ２１の端子P#nとが（電気的に）接続される。
【０１０５】
そして、ステップＳ１１において、ホストデバイス１０の対応検出部１２は、ジャック１１にプラグが挿入（以下、単に、接続ともいう）されたプラグデバイスが、対応デバイスであるかどうかを判定（検出）する。
【０１０６】
すなわち、ペリフェラルデバイス２０では、例えば、対応検出部２２及び送受信処理部２３からプラグ２１の端子P1側を見たインピーダンス（又は、端子P1の電圧）に所定の変化が生じると、プラグ２１がジャックに挿入されたとして、対応検出部２２、又は、送受信処理部２３は、所定の認証パターンPTNPの多重化データを、多重化通信線PL、及び、プラグ２１の端子P1を介して送信する。
【０１０７】
この認証パターンPTNPは、ジャック１１の端子J1、及び、多重化通信線JLを介して、対応検出部１２で受信される。
【０１０８】
対応検出部１２は、認証パターンPTNPを受信した場合、プラグデバイスが、対応デバイスであると判定し（プラグデバイスが、対応デバイスであることを検出し）、認証パターンPTNPを受信しなかった場合、プラグデバイスが、対応デバイスでないと判定する。
【０１０９】
ステップＳ１１において、プラグデバイスが、対応デバイスであると判定された場合、処理は、ステップＳ１２に進み、送受信処理部１３は、対応デバイスであるプラグデバイスとしてのペリフェラルデバイス２０との間で、デバイス情報を多重化データに含めて送受信する。
【０１１０】
すなわち、送受信処理部１３は、制御部１４を介して、記憶部１７から、ホストデバイス１０のデバイス情報を取得し、そのデバイス情報を、多重化データに含め、多重化通信線JL、ジャック１１の端子J1、プラグ２１の端子P1、及び、多重化通信線PLを介して、ペリフェラルデバイス２０の送受信処理部２３に送信する。
【０１１１】
また、送受信処理部１３は、後述するステップＳ２２で、ペリフェラルデバイス２０の送受信処理部２３から、多重化通信線PL、プラグ２１の端子P1、ジャック１１の端子J1、及び、多重化通信線JLを介して送信されてくる、ペリフェラルデバイス２０のデバイス情報を含む多重化データを受信する。
【０１１２】
そして、ステップＳ１３において、ホストデバイス１０では、機能切り替え部１５が、送受信処理部１３で受信された多重化データに含まれるペリフェラルデバイス２０のデバイス情報（から認識されるペリフェラルデバイス２０の種類等）に基づいて、ジャック１１の必要な端子J#nと、必要な機能ブロック１６ｋとを接続することで、ジャック１１の必要な端子J#nに対して、機能ブロック１６ｋが有する機能を、ペリフェラルデバイス２０用に提供するデバイス依存機能として割り当てる。
【０１１３】
すなわち、送受信処理部１３は、ペリフェラルデバイス２０の送受信処理部２３から受信した多重化データから、ペリフェラルデバイス２０のデバイス情報を分離し、制御部１４、及び、信号処理部１８に供給する。
【０１１４】
制御部１４、又は、信号処理部１８は、送受信処理部１３からのペリフェラルデバイス２０のデバイス情報に応じて、機能切り替え部１５を制御し、これにより、機能切り替え部１５では、ジャック１１の1個以上の端子J#nそれぞれに対して、機能ブロック１６１ないし１６Ｋが有する機能のうちの、ペリフェラルデバイス２０のデバイス情報に応じた機能が割り当てられる。
【０１１５】
また、信号処理部１８は、送受信処理部１３からのペリフェラルデバイス２０のデバイス情報に応じて、実行する信号処理を決定し、その信号処理を開始する。
【０１１６】
以上により、ホストデバイス１０からペリフェラルデバイス２０に対して、ペリフェラルデバイス２０のデバイス情報に応じた機能と信号処理とが提供される。
【０１１７】
一方、ステップＳ１１において、プラグデバイスが、対応デバイスでないと判定された場合、処理は、ステップＳ１４に進み、対応検出部１２は、機能切り替え部１５を制御し、これにより、ジャック１１のデフォルトの1個以上の所定数の端子J#nと、デフォルトの機能を有する機能ブロック１６ｋとを接続させることで、ジャック１１のデフォルトの端子J#nに対して、デフォルトの機能を割り当てる。
【０１１８】
また、信号処理部１８は、実行する信号処理として、デフォルトの信号処理を決定し、そのデフォルトの信号処理を開始する。
【０１１９】
したがって、ホストデバイス１０（のジャック１１）に、対応デバイスでないプラグデバイスが接続された場合には、ホストデバイス１０からペリフェラルデバイス２０に対して、デフォルトの機能と信号処理とが提供される。
【０１２０】
また、プラグ２１が完挿状態になると、ステップＳ２１において、ペリフェラルデバイス２０の対応検出部２２は、プラグ２１がジャックに挿入（以下、単に、接続ともいう）されたジャックデバイスが、対応デバイスであるかどうかを判定（検出）する。
【０１２１】
すなわち、ホストデバイス１０では、例えば、対応検出部１２及び送受信処理部１３からジャック１１の端子J1側を見たインピーダンス（又は、端子J1の電圧）に所定の変化が生じると、ジャック１１にプラグが挿入されたとして、対応検出部１２、又は、送受信処理部１３は、所定の認証パターンPTNJの多重化データを、多重化通信線JL、及び、ジャック１１の端子J1を介して送信する。
【０１２２】
この認証パターンPTNJは、プラグ２１の端子P1、及び、多重化通信線PLを介して、対応検出部２２で受信される。
【０１２３】
対応検出部２２は、認証パターンPTNJを受信した場合、ジャックデバイスが、対応デバイスであると判定し（ジャックデバイスが、対応デバイスであることを検出し）、認証パターンPTNJを受信しなかった場合、ジャックデバイスが、対応デバイスでないと判定する。
【０１２４】
ステップＳ２１において、ジャックデバイスが、対応デバイスであると判定された場合、処理は、ステップＳ２２に進み、送受信処理部２３は、対応デバイスであるジャックデバイスとしてのホストデバイス１０との間で、デバイス情報を多重化データに含めて送受信する。
【０１２５】
すなわち、送受信処理部２３は、制御部２４を介して、記憶部２７から、ペリフェラルデバイス２０のデバイス情報を取得し、そのデバイス情報を、多重化データに含め、多重化通信線PL、プラグ２１の端子P1、ジャック１１の端子J1、及び、多重化通信線JLを介して、ホストデバイス１０の送受信処理部１３に送信する。
【０１２６】
また、送受信処理部２３は、上述のステップＳ１２で、ホストデバイス１０の送受信処理部１３から、多重化通信線JL、ジャック１１の端子J1、プラグ２１の端子P1、及び、多重化通信線PLを介して送信されてくる、ホストデバイス１０のデバイス情報を含む多重化データを受信する。
【０１２７】
そして、ステップＳ２３において、ペリフェラルデバイス２０では、機能切り替え部２５が、送受信処理部２３で受信された多重化データに含まれるホストデバイス１０のデバイス情報（から認識される、ホストデバイス１０の種類等）に基づいて、プラグ２１の必要な端子P#nと、必要な機能ブロック２６ｌとを接続することで、プラグ２１の必要な端子P#nに対して、機能ブロック２６ｌが有する機能を、ホストデバイス１０用に提供するデバイス依存機能として割り当てる。
【０１２８】
すなわち、送受信処理部２３は、ホストデバイス１０の送受信処理部１３から受信した多重化データから、ホストデバイス１０のデバイス情報を分離し、制御部２４に供給する。
【０１２９】
制御部２４は、送受信処理部２３からのホストデバイス１０のデバイス情報に応じて、機能切り替え部２５を制御し、これにより、機能切り替え部２５では、プラグ２１の1個以上の端子P#nそれぞれに対して、機能ブロック２６１ないし２６Ｌが有する機能のうちの、ホストデバイス１０のデバイス情報に応じた機能が割り当てられる。
【０１３０】
その結果、ペリフェラルデバイス２０からホストデバイス１０に対して、ホストデバイス１０のデバイス情報に応じた機能が提供される。
【０１３１】
一方、ステップＳ２１において、ジャックデバイスが、対応デバイスでないと判定された場合、処理は、ステップＳ２４に進み、対応検出部２２は、機能切り替え部２５を制御し、これにより、プラグ２１のデフォルトの1個以上の所定数の端子P#nと、デフォルトの機能を有する機能ブロック２６ｌとを接続させることで、プラグ２１のデフォルトの端子P#nに対して、デフォルトの機能を割り当てる。
【０１３２】
したがって、ペリフェラルデバイス２０（のプラグ２１）に、対応デバイスでないジャックデバイスが接続された場合には、ペリフェラルデバイス２０からホストデバイス１０に対して、デフォルトの機能が提供される。
【０１３３】
以上のように、ホストデバイス１０は、ジャック１１、及び、プラグデバイスが対応デバイスであるかどうかを検出する対応検出部１２を有し、プラグデバイスが対応デバイスである場合に、多重化データを、ジャック１１の端子J1を介して送信又は受信する一方、ジャック１１の端子J1及びJ#M以外の端子の電気的な機能の割り当てを行う。
【０１３４】
また、ペリフェラルデバイス２０は、プラグ２１、物理量を電気信号に変換、又は、電気信号を物理量に変換する1個又は複数の変換部を含むI/F２８ｒ、及び、ジャックデバイスが対応デバイスであるかどうかを検出する対応検出部２２を有し、ジャックデバイスが対応デバイスである場合に、多重化データを、プラグ２１の端子P1を介して送信又は受信する一方、プラグ２１の端子P1及びP#M以外の端子の電気的な機能の割り当てを行う。
【０１３５】
したがって、ジャックデバイスであるホストデバイス１０と、プラグデバイスであるペリフェラルデバイス２０との間で、多重化データの送受信を行いつつ、ジャック１１やプラグ２１の端子の電気的な機能を切り替えることができる。さらに、ジャック１１の端子J#n、及び、プラグ２１の端子P#nの有効活用を図ることができる。
【０１３６】
また、ホストデバイス１０では、そのホストデバイス１０に接続されるペリフェラルデバイス２０のデバイス情報に応じて、ジャック１１の端子J#nに対して、機能を割り当てるので、ホストデバイス１０に接続されるペリフェラルデバイス２０に応じて、ジャック１１の端子J#nに割り当てる機能を、柔軟（動的）に切り替えることができる。
【０１３７】
同様に、ペリフェラルデバイス２０でも、そのペリフェラルデバイス２０に接続されるホストデバイス１０のデバイス情報に応じて、プラグ２１の端子P#nに対して、機能を割り当てるので、ペリフェラルデバイス２０に接続されるホストデバイス１０に応じて、プラグ２１の端子P#nに割り当てる機能を、柔軟に切り替えることができる。
【０１３８】
なお、ホストデバイス１０のジャック１１の端子J#nの数Nと、ペリフェラルデバイス２０のプラグ２１の端子P#nの数Nとは、必ずしも一致している必要はないが、ここでは、説明を簡単にするため、ジャック１１の端子J#nの数Nとプラグ２１の端子P#nの数Nとは、一致していることとする。
【０１３９】
また、ジャック１１の端子J#nの数N、及び、プラグ２１の端子P#nの数Nと、機能ブロック１６ｋの数Kや、機能ブロック２６ｌの数Lとの関係は、特に限定されるものではない。機能ブロック１６ｋの数Kと、機能ブロック２６ｌの数Lとの関係も、特に限定されるものではない。
【０１４０】
ここで、ホストデバイス１０としては、例えば、携帯電話機や、スマートフォン、携帯型音楽プレーヤ、ディジタルカメラ、ノート型のPC(Personal Computer)等の、信号処理が可能な携帯機器を採用することができる。さらに、ホストデバイス１０としては、例えば、タブレット端末や、据え置き型のPC、TV（テレビジョン受像機）等の、信号処理が可能な任意の機器を採用することができる。
【０１４１】
ペリフェラルデバイス２０としては、例えば、音響信号を、対応する音響に変換して出力する1個のドライバを有するヘッドセットや、1個以上のドライバ、及び、音響を集音して、対応する音響信号に変換する1個以上のマイクを有するヘッドセット等を採用することができる。
【０１４２】
その他、ペリフェラルデバイス２０としては、例えば、上述したような物理量入力デバイスや物理量出力デバイス等の、物理量を電気信号に変換する変換部や電気信号を物理量に変換する変換部を1個又は複数個有するデバイスを採用することができる。
【０１４３】
なお、ペリフェラルデバイス２０の変換部については、変換部は、ペリフェラルデバイス２０に固定することもできるし、変換部の全部、又は、一部の構成要素を、ペリフェラルデバイス２０に着脱可能なように構成することもできる。
【０１４４】
以下、説明を分かりやすくするために、ホストデバイス１０として、音楽プレーヤや電話機等の音響信号を処理する機器の機能を有するスマートフォンを採用するとともに、ペリフェラルデバイス２０として、スマートフォンとしてのホストデバイス１０に接続されるヘッドセットを採用し、そのようなホストデバイス１０、及び、ペリフェラルデバイス２０で構成される信号処理システムの具体例について説明する。
【０１４５】
＜信号処理システムの第１の具体例＞
【０１４６】
図３は、図１の信号処理システムの第１の具体例を示すブロック図である。
【０１４７】
なお、図中、図１の場合と対応する部分については、同一の符号を付してあり、以下では、その説明は、適宜省略する。
【０１４８】
図３では、プラグ２１として、例えば、5極3.5mmの多極単頭プラグが採用されるとともに、ジャック１１として、その5極3.5mmの多極単頭プラグに対応する多極単頭ジャックが採用されている。
【０１４９】
したがって、ジャック１１は、5個（極）の端子J1ないしJ5を有し、プラグ２１は、5個（極）の端子P1ないしP5を有する。そして、プラグ２１がジャック１１に完挿されたとき、ジャック１１の端子J#nと、プラグ２１の端子P#nとは、（電気的に）接続する。
【０１５０】
また、図３では、ジャック１１の5個の端子J1ないしJ5のうちの、端子J1が多重化通信線JLに接続され、端子J2がグランドに接続されている。そして、残りの端子J3ないしJ5が、機能切り替え部１５に接続されている。
【０１５１】
さらに、図３では、プラグ２１の5個の端子P1ないしP5のうちの、端子P1が多重化通信線PLに接続され、端子P2がグランドに接続されている。そして、残りの端子P3ないしP5が、機能切り替え部２５に接続されている。
【０１５２】
以下、多重化通信線JL及びPLに接続されてる端子J1及びP1を、それぞれ、通信端子J1及びP1ともいい、グランドに接続されている端子J2及びP2を、それぞれ、GND端子J2及びP2ともいう。
【０１５３】
ここで、既存のヘッドセットの中には、L(Left)及びR(Right)チャンネルの音響を出力するL及びRチャンネルの（2個の）ドライバ（スピーカ）用の端子、L及びRチャンネルの音響を集音するL及びRチャンネルの（2個の）マイク用の端子、及び、GND端子が設けられた、5極3.5mmの多極単頭プラグを有するヘッドセットがある。
【０１５４】
プラグ２１としては、上述のような既存のヘッドセットが有する5極の多極単頭プラグと同一構造のプラグを採用することができ、ジャック１１としては、上述のような既存のヘッドセットが有する5極の多極単頭プラグに対応する5極の多極単頭ジャックを採用することができる。
【０１５５】
この場合、プラグ２１は、5極の（多極単頭プラグを有する）既存のヘッドセットを使用することができる、既存の音楽プレーヤ等のジャックデバイスのジャック（5極の多極単頭ジャック）に挿入することができる。また、ジャック１１には、5極の既存のヘッドセットのプラグ（5極の多極単頭プラグ）を挿入することができる。
【０１５６】
なお、プラグ２１は、既存のヘッドセットが有する5極の多極単頭プラグと同一のプラグに限定されるものではなく、さらに、5極のプラグに限定されるものではない。すなわち、プラグ２１としては、例えば、3極や4極のプラグや、6極以上のプラグを採用することができる。ジャック１１についても、同様である。
【０１５７】
また、図３では（上述の図１や後述する図でも同様）、図を簡略化するため、プラグ２１が、ペリフェラルデバイス２０の本体に、いわば直接設けられているが、プラグ２１は、ケーブルを介して、ペリフェラルデバイス２０の本体に接続することができる。さらに、ホストデバイス１０とペリフェラルデバイス２０とは、一端に、プラグ２１と同様のプラグが設けられ、他端に、ジャック１１と同様のジャックが設けられたケーブルを介して接続することができる。
【０１５８】
ここで、既存のヘッドセットが有する5極の（多極単頭）プラグ（そのプラグに対応する5極のジャックも同様）の5極（個）の端子は、例えば、L及びRチャンネルのドライバに供給する音響信号用の端子（以下、それぞれを、Lドライバ端子、及び、Rドライバ端子ともいう）、L及びRチャンネルのマイクから出力される音響信号用の端子（以下、それぞれを、Lマイク端子、及び、Rマイク端子ともいう）、並びに、グランドに接続されるGND端子になっている。
【０１５９】
既存のヘッドセットの中には、例えば、5極のプラグのLドライバ端子、Rドライバ端子、Lマイク端子、Rマイク端子、及び、GND端子のうちの、Lマイク端子及びRマイク端子に代えて、モノラルのマイクから出力される音響信号用のモノラルマイク端子が設けられた4極の（多極単頭）プラグ（例えば、プラグの先頭から、Lドライバ端子、Rドライバ端子、GND端子、及び、モノラルマイク端子が設けられたCTIA4極のプラグ）を有するヘッドセットがある。
【０１６０】
さらに、既存のヘッドセットの中には、例えば、5極のプラグのLドライバ端子、Rドライバ端子、Lマイク端子、Rマイク端子、及び、GND端子のうちの、Lマイク端子及びRマイク端子がない3極の（多極単頭）プラグを有するヘッドセットがある。
【０１６１】
5極のプラグ２１は、4極のプラグに対応する4極のジャックに挿入した場合に、GND端子P2が、4極のジャックのGND端子に接続されるとともに、4極のジャックのLドライバ端子、Rドライバ端子、及び、モノラルマイク端子が、それぞれ、端子P1及びP3ないしP5の中の重複しない1個に接続され、かつ、5極のプラグ２１の端子P1ないしP5の任意の2個どうしや、4極ジャックのLドライバ端子、Rドライバ端子、及び、モノラルマイク端子の任意の2個どうしがショートしないように構成することができる。
【０１６２】
さらに、5極のプラグ２１は、3極のプラグに対応する3極のジャックに挿入した場合に、GND端子P2が、3極のジャックのGND端子に接続されるとともに、3極のジャックのLドライバ端子及びRドライバ端子が、それぞれ、端子P1及びP3ないしP5の中の重複しない1個に接続され、かつ、5極のプラグ２１の端子P1ないしP5の任意の2個どうしや、3極ジャックのLドライバ端子及びRドライバ端子どうしがショートしないように構成することができる。
【０１６３】
以上の点、ジャック１１についても、同様である。
【０１６４】
図３では、ホストデバイス１０の機能ブロック１６１ないし１６Ｋとして、5個の機能ブロック１６１ないし１６５が設けられている。
【０１６５】
5個の機能ブロック１６１ないし１６５のうちの、機能ブロック１６１は、例えば、上述したアナログ音響出力機能を有する。したがって、機能ブロック１６１は、信号処理部１８から供給されるディジタルの音響信号のDA変換を行い、必要に応じて増幅して、その結果得られるアナログの音響信号を、機能切り替え部１５側に出力する。
【０１６６】
また、機能ブロック１６２は、例えば、上述したアナログ音響入力機能を有する。したがって、機能ブロック１６１は、例えば、抵抗でプルアップされた信号線であって、かつ、一端が機能切り替え部１５に接続され、他端が信号処理部１８に接続された信号線を有し、機能切り替え部１５側から供給されるアナログの音響信号を、プルアップされた信号線を介して、信号処理部１８に供給（伝送）する。
【０１６７】
機能ブロック１６３ないし１６５は、それぞれ、所定の機能a，b，cを有する。機能aないしcのうちの1個である、例えば、機能cは、例えば、上述した電源機能とすることができる。
【０１６８】
また、図３では、ペリフェラルデバイス２０の機能ブロック２６１ないし２６Ｋとして、5個の機能ブロック２６１ないし２６５が設けられている。
【０１６９】
5個の機能ブロック２６１ないし２６５のうちの、機能ブロック２６１は、例えば、上述したアナログ音響出力機能を有する。したがって、機能ブロック２６１は、ドライバを有し、機能切り替え部２５側から供給されるアナログの音響信号に対応する音響を出力する。なお、機能ブロック２６１には、モノラルの音響を出力する1個のドライバ、又は、Lチャンネル、及び、Rチャンネルの音響を出力する2個のドライバを設けることができる。
【０１７０】
また、機能ブロック２６２は、例えば、上述したアナログ音響入力機能を有する。したがって、機能ブロック２６２は、マイクを有し、音響を集音して、対応するアナログの音響信号を、機能切り替え部２５側に出力する。
【０１７１】
機能ブロック２６３ないし２６５は、それぞれ、所定の機能a，b，cを有する。機能aないしcのうちの1個である、例えば、機能cは、上述したように、電源機能とすることができる。
【０１７２】
なお、例えば、ホストデバイス１０の機能ブロック１６３と、ペリフェラルデバイス２０の機能ブロック２６３とは、いずれも、機能aを有するが、ここでは、機能ブロック１６３及び２６３は、電気的に接続された状態で、全体として、機能aを提供することとする。他の機能ブロック１６ｉ及び２６ｉも同様である。
【０１７３】
図３では、機能切り替え部１５において、アナログ音響出力機能を有する機能ブロック１６１と、ジャック１１の端子J3ないしJ5のうちの端子J#nとが接続されるとともに、機能切り替え部２５において、アナログ音響出力機能を有する機能ブロック２６１と、プラグ２１の端子P3ないしP5のうちの端子P#nが接続されることにより、機能ブロック１６１と機能ブロック２６１とが電気的に接続され、アナログ音響出力機能が提供される。
【０１７４】
すなわち、機能ブロック１６１が出力するディジタルの音響信号が、機能切り替え部１５、ジャック１１の端子J#n、プラグ２１の端子P#n、及び、機能切り替え部２５を介して、機能ブロック２６１に供給され、機能ブロック２６１のドライバから、機能ブロック１６１が出力するディジタルの音響信号に対応する音響が出力される。
【０１７５】
また、機能切り替え部１５において、アナログ音響入力機能を有する機能ブロック１６２と、ジャック１１の端子J3ないしJ5のうちの端子J#nとが接続されるとともに、機能切り替え部２５において、アナログ音響入力機能を有する機能ブロック２６２と、プラグ２１の端子P3ないしP5のうちの端子P#nが接続されることにより、機能ブロック１６２と機能ブロック２６２とが電気的に接続され、アナログ音響入力機能が提供される。
【０１７６】
すなわち、機能ブロック２６２において、マイクで集音された、例えば、ユーザの音声等の音響に対応するアナログの音響信号が、機能切り替え部２５、プラグ２１の端子P#n、ジャック１１の端子J#n、及び、機能切り替え部１５を介して、機能ブロック２６２に供給され、信号処理部１８に伝送される。
【０１７７】
信号処理部１８では、以上のようにして供給（伝送）されるアナログの音響信号が、例えば、DA変換されて記録され、あるいは、スマートフォンとしてのホストデバイス１０の電話の音声信号として送信される。
【０１７８】
さらに、機能切り替え部１５において、機能aを有する機能ブロック１６３と、ジャック１１の端子J3ないしJ5のうちの端子J#nとが接続されるとともに、機能切り替え部２５において、機能aを有する機能ブロック２６３と、プラグ２１の端子P3ないしP5のうちの端子P#nが接続されることにより、機能ブロック１６３と機能ブロック２６３とが電気的に接続され、機能aが提供される。
【０１７９】
また、機能切り替え部１５において、機能bを有する機能ブロック１６４と、ジャック１１の端子J3ないしJ5のうちの端子J#nとが接続されるとともに、機能切り替え部２５において、機能bを有する機能ブロック２６４と、プラグ２１の端子P3ないしP5のうちの端子P#nが接続されることにより、機能ブロック１６４と機能ブロック２６４とが電気的に接続され、機能bが提供される。
【０１８０】
同様に、機能切り替え部１５において、機能cを有する機能ブロック１６５と、ジャック１１の端子J3ないしJ5のうちの端子J#nとが接続されるとともに、機能切り替え部２５において、機能cを有する機能ブロック２６５と、プラグ２１の端子P3ないしP5のうちの端子P#nが接続されることにより、機能ブロック１６５と機能ブロック２６５とが電気的に接続され、機能cが提供される。
【０１８１】
図３では、ペリフェラルデバイス２０のI/F２８１ないし２８Ｒとして、ディジタルマイク部２８１、スイッチ部２８２、及び、GPIOデバイス部２８３が設けられている。
【０１８２】
ディジタルマイク部２８１は、音響を、アナログの音響信号に変換するマイク、そのアナログの音響信号を増幅するアンプ、及び、増幅後のアナログの音響信号をディジタルの音響信号にAD変換するADCを有し、音響を集音して、対応するディジタルの音響信号に変換し、送受信処理部２３に供給（出力）する。
【０１８３】
なお、ディジタルマイク部２８１では、音響を、ディジタルの音響信号に変換する変換部としての、マイク、アンプ、及び、ADCのセット（以下、ディジタルマイクセットともいう）を、複数セット設け、その複数セットのディジタルマイクセットで得られる複数チャンネルの音響信号を、多重化データに含める信号として、送受信処理部２３に供給することができる。
【０１８４】
スイッチ部２８２は、ユーザによって押圧されるスイッチを有し、物理量としての、ユーザによるスイッチの押圧操作（圧力）を、電気信号としての、スイッチのオン又はオフを表す1ビットのディジタル信号（インピーダンス）に変換して、送受信処理部２３に供給（出力）する。
【０１８５】
なお、スイッチ部２８２についても、ディジタルマイク部２８１と同様に、複数のスイッチを設け、その複数のスイッチそれぞれのオン又はオフを表す複数ビットのディジタル信号を、送受信処理部２３に供給することができる。
【０１８６】
GPIOデバイス部２８３は、GPIO経由でディジタル信号をやりとりすることができるデバイスを有し、送受信処理部２３との間で、GPIOに従ったディジタル信号のやりとりを行う。
【０１８７】
ここで、スマートフォンとしてのホストデバイス１０は、図示せぬバッテリを内蔵し、そのバッテリから電源の供給を受けて動作することとする。また、ホストデバイス１０では、例えば、バッテリによる電源によって、多重化通信線JLがプルアップされていることとする。
【０１８８】
以上のように構成される図３の信号処理システムでは、ユーザが、プラグ２１をジャック１１に挿入し、プラグ２１が完挿状態になると、すなわち、ジャック１１の端子J1ないしJ5と、プラグ２１の端子P1ないしP5とが、それぞれ接続されると、スマートフォンとしてのホストデバイス１０において、多重化通信線JLをプルアップしている図示せぬ電源から、ジャック１１の端子J1、及び、プラグ２１の端子P1を介して、ヘッドセットとしてのペリフェラルデバイス２０の多重化通信線PL上に、多重化通信（送受信処理部１３と２３との間での多重化データの通信）に必要な電力が供給され、ペリフェラルデバイス２０は、その電力を電源として、多重化通信を行うことが可能な状態となる。
【０１８９】
ここで、ホストデバイス１０から、ペリフェラルデバイス２０の多重化通信線PL上に供給される電力は、例えば、多重化通信に関する処理を行うのに必要最小限の電力、又は、その必要最小限の電力に多少のマージンを加えた小電力であり、そのため、その小電力は、多重化通信に関する処理とは別の処理（を行うブロック）の電源とすることはできないこととする。すなわち、ペリフェラルデバイス２０において、多重化通信に関する処理とは別に、電源を必要とする処理を行うには、ホストデバイス１０から、ペリフェラルデバイス２０の多重化通信線PL上に供給される電力とは別に、ペリフェラルデバイス２０に電力を供給する必要があることとする。
【０１９０】
なお、ペリフェラルデバイス２０には、例えば、図示せぬバッテリ等の電源を内蔵させ、その電源から、必要な電力の供給を受けることができる。この場合、ペリフェラルデバイス２０は、ホストデバイス１０から電源となる電力の供給を受ける必要はない。
【０１９１】
プラグ２１が完挿状態になると、送受信処理部１３は、所定の認証パターンPTNJの多重化データを、多重化通信線JL、及び、ジャック１１の端子J1を介して送信する。
【０１９２】
この認証パターンPTNJは、プラグ２１の端子P1、及び、多重化通信線PLを介して、対応検出部２２で受信される。
【０１９３】
対応検出部２２は、認証パターンPTNJを受信することにより、プラグ２１が挿入されたジャックデバイスが、対応デバイスであることを検出し、その検出結果を表す検出情報を、送受信処理部２３に供給する。
【０１９４】
送受信処理部２３は、プラグ２１が完挿状態になり、対応検出部２２から、プラグ２１が挿入されたジャックデバイスが対応デバイスである旨の検出情報が供給されると、所定の認証パターンPTNPの多重化データを、多重化通信線PL、及び、プラグ２１の端子P1を介して送信する。
【０１９５】
この認証パターンPTNPは、ジャック１１の端子J1、及び、多重化通信線JLを介して、対応検出部１２で受信される。
【０１９６】
対応検出部１２は、認証パターンPTNPを受信することにより、ジャック１１にプラグが挿入されたプラグデバイスが、対応デバイスであることを検出し、その検出結果を表す検出情報を、送受信処理部１３に供給する。
【０１９７】
送受信処理部１３は、対応検出部１２から、ジャック１１にプラグが挿入されたプラグデバイスが、対応デバイスである旨の検出情報が供給されると、制御部１４を介して、記憶部１７から、ホストデバイス１０のデバイス情報を取得し、そのデバイス情報を、多重化データに含め、多重化通信線JL、ジャック１１の端子J1、プラグ２１の端子P1、及び、多重化通信線PLを介して、ペリフェラルデバイス２０の送受信処理部２３に送信する。
【０１９８】
送受信処理部２３は、ホストデバイス１０の送受信処理部１３から送信されてくる、ホストデバイス１０のデバイス情報を含む多重化データを受信し、その多重化データから、ホストデバイス１０のデバイス情報を分離して、制御部２４に供給する。
【０１９９】
制御部２４は、送受信処理部２３からのホストデバイス１０のデバイス情報に応じて、機能切り替え部２５を制御し、これにより、機能切り替え部２５では、プラグ２１の端子P3ないしP5のうちの1個以上の端子P#nそれぞれに対して、機能ブロック２６１ないし２６５が有する機能のうちの、ホストデバイス１０のデバイス情報に応じた機能が割り当てられる。
【０２００】
また、送受信処理部２３は、制御部２４を介して、記憶部２７から、ペリフェラルデバイス２０のデバイス情報を取得し、そのデバイス情報を、多重化データに含め、多重化通信線PL、プラグ２１の端子P1、ジャック１１の端子J1、及び、多重化通信線JLを介して、ホストデバイス１０の送受信処理部１３に送信する。
【０２０１】
送受信処理部１３は、ペリフェラルデバイス２０の送受信処理部２３から送信されてくる、ペリフェラルデバイス２０のデバイス情報を含む多重化データを受信し、その多重化データから、ペリフェラルデバイス２０のデバイス情報を分離して、制御部１４、及び、信号処理部１８に供給する。
【０２０２】
制御部１４、又は、信号処理部１８は、送受信処理部１３からのペリフェラルデバイス２０のデバイス情報に応じて、機能切り替え部１５を制御し、これにより、機能切り替え部１５では、ジャック１１の端子J3ないしJ5のうちの1個以上の端子J#nそれぞれに対して、機能ブロック１６１ないし１６５が有する機能のうちの、ペリフェラルデバイス２０のデバイス情報に応じた機能が割り当てられる。
【０２０３】
また、信号処理部１８は、送受信処理部１３からのペリフェラルデバイス２０のデバイス情報に応じて、実行する信号処理を決定し、その信号処理を開始する。
【０２０４】
さらに、ホストデバイス１０の送受信処理部１３と、ペリフェラルデバイス２０の送受信処理部２３との間では、多重化通信線JL、ジャック１１の端子J1、プラグ２１の端子P1、及び、多重化通信線PLを介して、必要な多重化データが送受信される。
【０２０５】
ホストデバイス１０の送受信処理部１３から、ペリフェラルデバイス２０の送受信処理部２３に送信される多重化データには、例えば、ペリフェラルデバイス２０に対するコマンドや、GPIOデバイス部２８３に供給（入力）するデータ等を含めることができる。
【０２０６】
ここで、ペリフェラルデバイス２０に対するコマンドによれば、ホストデバイス１０は、ペリフェラルデバイス２０を制御することや、ペリフェラルデバイス２０のステータスを認識すること等ができる。
【０２０７】
ペリフェラルデバイス２０の送受信処理部２３から、ホストデバイス１０の送受信処理部１３に送信される多重化データには、ディジタルマイク部２８１で集音された音響に対応するディジタルの音響信号や、スイッチ部２８２の操作に対応するディジタル信号、GPIOデバイス部２８３が出力するデータ、ホストデバイス１０の送受信処理部１３からのコマンドに対する応答等を含めることができる。
【０２０８】
ここで、図３において、ホストデバイス１０では、制御部１４、又は、信号処理部１８が、ペリフェラルデバイス２０のデバイス情報に基づき、例えば、ペリフェラルデバイス２０が、アナログ音響出力機能、アナログ音響入力機能、及び、機能aないしcを有することを認識する。
【０２０９】
ホストデバイス１０は、ペリフェラルデバイス２０と同様に、アナログ音響出力機能、アナログ音響入力機能、及び、機能aないしcを有するので、制御部１４、又は、信号処理部１８は、アナログ音響出力機能、アナログ音響入力機能、及び、機能aないしcを、ホストデバイス１０とペリフェラルデバイス２０とで共通して有する共通機能として認識する。
【０２１０】
さらに、制御部１４、又は、信号処理部１８は、共通機能の中から、ジャック１１の端子J3ないしJ5の1個以上の端子に割り当てる機能を、割り当て機能として選択するとともに、その割り当て機能を割り当てる端子J#nを、割り当て端子J#nとして選択する。
【０２１１】
そして、制御部１４、又は、信号処理部１８は、割り当て機能を有する機能ブロック１６ｋと、その割り当て機能を割り当てる端子として選択したジャック１１の割り当て端子J#nとを接続するように、機能切り替え部１５を制御する。
【０２１２】
機能切り替え部１５は、制御部１４、又は、信号処理部１８の制御に従い、割り当て機能を有する機能ブロック１６ｋとジャック１１の割り当て端子J#nとを接続することで、割り当て機能を、ジャック１１の割り当て端子J#nに割り当てる。
【０２１３】
ペリフェラルデバイス２０でも、ホストデバイス１０と同様に、制御部２４は、ホストデバイス１０のデバイス情報に基づき、アナログ音響出力機能、アナログ音響入力機能、及び、機能aないしcを、共通機能として認識する。
【０２１４】
さらに、制御部２４は、共通機能の中から、プラグ２１の端子P3ないしP5の1個以上の端子に割り当てる機能を、割り当て機能として選択するとともに、その割り当て機能を割り当てる端子P#nを、割り当て端子P#nとして選択する。
【０２１５】
そして、制御部２４は、割り当て機能を有する機能ブロック２６ｌと、その割り当て機能を割り当てる端子として選択したプラグ２１の割り当て端子P#nとを接続するように、機能切り替え部２５を制御する。
【０２１６】
機能切り替え部２５は、制御部２４の制御に従い、割り当て機能を有する機能ブロック２６ｌとプラグ２１の割り当て端子P#nとを接続することで、割り当て機能を、プラグ２１の割り当て端子P#nに割り当てる。
【０２１７】
ここで、ジャック１１の端子J#n、及び、プラグ２１の端子P#nの引数nを、端子番号というとともに、プラグ２１がジャック１１に完挿されたときに、同一の端子番号nどうしの端子J#n及びP#nが接続されることとすると、ホストデバイス１０及びペリフェラルデバイス２０において、ある機能xに対しては、同一の端子番号の端子J#n及びP#nが、割り当て端子J#n及びP#nとして選択される。
【０２１８】
これにより、同一の機能xを有する機能ブロック１６ｋ及び２６ｌどうしが、機能切り替え部１５、ジャック１１の割り当て端子J#n、プラグ２１の割り当て端子J#n、及び、機能切り替え部２５を介して接続され、機能xが提供される。
【０２１９】
なお、例えば、ある機能xに対して、割り当て端子J#n及びP#nとして選択する端子J#n及びP#nの端子番号nをあらかじめ決めておくことにより、ホストデバイス１０及びペリフェラルデバイス２０において、ある機能xに対して、同一の端子番号の端子J#n及びP#nを、割り当て端子J#n及びP#nとして選択することができる。
【０２２０】
また、例えば、ホストデバイス１０において、ある機能xに対して割り当てた割り当て端子J#nの端子番号nを、多重化データに含めて、ペリフェラルデバイス２０に送信し、ペリフェラルデバイス２０において、ホストデバイス１０からの多重化データに含まれる端子番号nと同一の端子番号nの端子P#nを、機能xに対する割り当て端子P#nとして選択することでも、ホストデバイス１０及びペリフェラルデバイス２０において、ある機能xに対して、同一の端子番号の端子J#n及びP#nを、割り当て端子J#n及びP#nとして選択することができる。
【０２２１】
図３では、ジャック１１の端子J1及びプラグ２１の端子P1は、多重化通信の機能に、固定的に割り当てられ、ジャック１１の端子J2及びプラグ２１の端子P2は、GNDに固定的に接続されているため、ジャック１１の端子J3及びプラグ２１の端子P3の端子セット（以下、端子セット(J3,P3)とも記載する）、端子セット(J4,P4)、及び、端子セット(J5,P5)の3個の端子セットに、1個ずつの、合計で3個の機能を割り当てることができる。
【０２２２】
但し、多重化通信の機能が割り当てられている端子セット(J1,P1)については、ホストデバイス１０及びペリフェラルデバイス２０の間で、デバイス情報の送受信が完了した後は、多重化通信の機能に代えて、他の機能を割り当てることができる。
【０２２３】
また、機能切り替え部１５及び２５において、3個の端子セット(J3,P3)、(J4,P4)、及び、(J5,P5)に、機能の割り当てを行うこととすると、その3個の端子セット(J3,P3)ないし(J5,P5)に割り当てることができる機能は、最大で、3個の機能である。
【０２２４】
一方、図３のホストデバイス１０及びペリフェラルデバイス２０は、アナログ音響出力機能、アナログ音響入力機能、及び、機能aないしcの、合計で5個の機能を有する。そのため、ホストデバイス１０及びペリフェラルデバイス２０では、その5個の機能の中から、最大で、3個の機能が、割り当て機能として選択されるとともに、3個の端子セット(J3,P3)ないし(J5,P5)の中から、割り当て機能と同一の数の端子セットが、割り当て端子セットとして選択され、割り当て機能が、割り当て端子セットに割り当てられる。
【０２２５】
例えば、ホストデバイス１０では、アナログ音響出力機能、アナログ音響入力機能、及び、機能aないしcから、アナログ音響出力機能、及び、アナログ音響入力機能の2個の機能が、割り当て機能として選択されるとともに、ジャック１１の端子J3ないしJ5から、割り当て機能の数と同一の数の端子J3及びJ4が、割り当て端子として選択される。そして、例えば、アナログ音響出力機能が、割り当て端子J3に割り当てられるとともに、アナログ音響入力機能が、割り当て端子J4に割り当てられる。
【０２２６】
この場合、ペリフェラルデバイス２０では、ホストデバイス２０と同様に、アナログ音響出力機能、アナログ音響入力機能、及び、機能aないしcから、アナログ音響出力機能、及び、アナログ音響入力機能の2個の機能が、割り当て機能として選択されるとともに、プラグ２１の端子P3及びP4が、割り当て端子として選択され、アナログ音響出力機能が、割り当て端子P3に割り当てられるとともに、アナログ音響入力機能が、割り当て端子P4に割り当てられる。
【０２２７】
なお、この場合、端子セット(J5,P5)については、機能aないしcの中の1つを割り当てることもできるし、機能を割り当てないこともできる。
【０２２８】
また、例えば、ホストデバイス１０では、アナログ音響出力機能、アナログ音響入力機能、及び、機能aないしcから、機能aないしcの3個の機能を、割り当て機能として選択するとともに、ジャック１１の端子J3ないしJ5から、割り当て機能の数と同一の数である3個の端子J3ないしJ5を、割り当て端子として選択し、割り当て機能aないしcを、割り当て端子J3ないしJ5に、それぞれ割り当てることができる。
【０２２９】
この場合、ペリフェラルデバイス２０では、ホストデバイス１０と同様に、アナログ音響出力機能、アナログ音響入力機能、及び、機能aないしcから、機能aないしcの3個の機能が、割り当て機能として選択されるとともに、プラグ２１の端子P3ないしP5が、割り当て端子として選択され、割り当て機能aないしcが、割り当て端子P3ないしP5に、それぞれ割り当てられる。
【０２３０】
上述のように、ホストデバイス１０やペリフェラルデバイス２０が、割り当て機能として選択することができる機能（共通機能）として、複数個の機能を有する場合には、例えば、ユーザに、その旨を、画像や音声等によって報知し、ユーザに、割り当て機能として選択する機能を指定してもらうことができる。
【０２３１】
又は、例えば、各機能について、割り当て機能として選択する優先順位を、デバイス情報に含めておき、優先順位順に、機能を割り当てることができる端子の数だけの機能を、割り当て機能として選択することができる。
【０２３２】
なお、ホストデバイス１０及びペリフェラルデバイス２０において、共通機能となる機能がない場合には、ユーザに、その旨を、画像や音声等によって報知することができる。
【０２３３】
また、例えば、機能cが、上述した電源機能であり、その電源機能が割り当て機能として選択され、ペリフェラルデバイス２０からホストデバイス１０に、電源を供給する場合には、ペリフェラルデバイス２０では、ホストデバイス１０のデバイス情報に基づいて認識される、ホストデバイス１０の種類や型式に応じて、電源となる電流の供給量を設定することができる。
【０２３４】
ここで、図３のペリフェラルデバイス２０では、ディジタルマイク部２８１で環境音を集音し、その環境音に対応するディジタルの音響信号を、多重化データに含めて、ペリフェラルデバイス２０の送受信処理部２３から、ホストデバイス１０の送受信処理部１３に送信することができる。この場合、ホストデバイス１０では、多重化データに含まれる環境音に対応するディジタルの音響信号が、送信処理部１３から信号処理部１８に供給される。
【０２３５】
一方、例えば、いま、ホストデバイス１０及びペリフェラルデバイス２０において、少なくとも、アナログ音響出力機能が、割り当て機能として選択されていることとすると、上述したように、アナログ音響出力機能を有する機能ブロック１６１では、信号処理部１８から供給される音響信号が、機能切り替え部１５、ジャック１１、プラグ２１、及び、機能切り替え部２５を介して、ペリフェラルデバイス２０のアナログ音響出力機能を有する機能ブロック２６１に供給され、機能ブロック２６１のドライバにおいて、対応するアナログ音響が出力される。
【０２３６】
この場合、信号処理部１８では、アナログ音響出力機能を有する機能ブロック１６１に供給する音響信号に対して、多重化データに含まれる環境音に対応する音響信号を用いたNC(Noise Reduction)処理を、信号処理として施して、機能ブロック１６１に供給することができる。
【０２３７】
この信号処理部１８での信号処理としてのNC処理については、ペリフェラルデバイス２０のデバイス情報に、機能ブロック２６１が有するドライバや、ディジタルマイク部２８１が有するマイクの特性の情報を含めておき、そのデバイス情報に含まれる特性の情報に基づいて、NC処理で行われるフィルタリングのフィルタ係数を決定することができる。
【０２３８】
この場合、機能ブロック２６１が有するドライバや、ディジタルマイク部２８１が有するマイクの特性に応じて、効果的なNC処理を行うことができる。
【０２３９】
以上のように、対応デバイスであるホストデバイス１０及びペリフェラルデバイス２０によれば、ホストデバイス１０及びペリフェラルデバイス２０のデバイス情報に応じた機能と信号処理とを提供することができる。
【０２４０】
なお、ホストデバイス１０では、対応検出部１２において、プラグデバイスが、対応デバイスでないことが検出された場合、機能切り替え部１５は、ホストデバイス１０が有する機能の中から、1個以上のデフォルトの機能が、割り当て機能として選択されるとともに、ジャック１１の端子J#nの中から、1個以上の（割り当て機能の数と同一の数の）デフォルトの端子が、割り当て端子として選択され、割り当て機能としてのデフォルトの機能が、ジャック１１の割り当て端子としてのデフォルトの端子に割り当てられる。
【０２４１】
例えば、スマートフォンとしてのホストデバイス１０では、アナログ音響出力機能、アナログ音響入力機能、及び、機能aないしcのうちの、アナログ音響出力機能が、デフォルトの機能として、あらかじめ設定されており、ジャック１１の割り当て端子としてのデフォルトの端子に割り当てられる。
【０２４２】
ジャック１１のデフォルトの端子は、例えば、対応デバイスでない、3極や4極のプラグを有する既存のプラグデバイスとしてのヘッドセット等のプラグが、ジャック１１に挿入されたときに、その既存のヘッドセットのプラグの、ドライバ（スピーカ）に接続されている端子と接続されるようになっている。
【０２４３】
したがって、対応デバイスでない既存のヘッドセットのプラグが、ジャック１１に挿入された場合には、スマートフォンとしてのホストデバイス１０において、デフォルトの機能であるアナログ音響出力機能を有する機能ブロック１６１が出力する音響信号は、機能切り替え部１５、及び、ジャック１１を介して、既存のヘッドセットのドライバに供給され、対応する音響が出力される。
【０２４４】
以上のように、ホストデバイス１０は、対応デバイスでない既存のヘッドセットが接続された場合であっても、その既存のヘッドセットとともに使用することができるという、いわゆる後方互換性を有する。
【０２４５】
同様に、ペリフェラルデバイス２０も、後方互換性を有する。
【０２４６】
すなわち、ペリフェラルデバイス２０では、対応検出部２２において、ジャックデバイスが、対応デバイスでないことが検出された場合、機能切り替え部２５は、ペリフェラルデバイス２０が有する機能の中から、1個以上のデフォルトの機能が、割り当て機能として選択されるとともに、プラグ２１の端子P#nの中から、1個以上の（割り当て機能の数と同一の数の）デフォルトの端子が、割り当て端子として選択され、割り当て機能としてのデフォルトの機能が、プラグ２１の割り当て端子としてのデフォルトの端子に割り当てられる。
【０２４７】
例えば、ヘッドセットとしてのペリフェラルデバイス２０では、アナログ音響出力機能、アナログ音響入力機能、及び、機能aないしcのうちの、アナログ音響出力機能が、デフォルトの機能として、あらかじめ設定されており、プラグ２１の割り当て端子としてのデフォルトの端子に割り当てられる。
【０２４８】
プラグ２１のデフォルトの端子は、例えば、対応デバイスでない、3極や4極のジャックを有する既存のジャックデバイスとしてのスマートフォンのジャックに、プラグ２１が挿入されたときに、その既存のスマートフォンのジャックの、音響信号が出力される端子と接続されるようになっている。
【０２４９】
したがって、対応デバイスでない既存のスマートフォンのジャックに、プラグ２１が挿入された場合には、ヘッドセットとしてのペリフェラルデバイス２０において、既存のスマートフォンのジャックの端子から出力される音響信号は、プラグ２１、及び、機能切り替え部２５を介して、デフォルトの機能であるアナログ音響出力機能を有する機能ブロック２６１に供給され、対応する音響が出力される。
【０２５０】
以上のように、ペリフェラルデバイス２０は、対応デバイスでない既存のスマートフォンに接続された場合であっても、その既存のスマートフォンとともに使用することができる後方互換性を有する。
【０２５１】
なお、スマートフォンとしてのホストデバイス１０では、アナログ音響出力機能、アナログ音響入力機能、及び、機能aないしcのうちの、アナログ音響出力機能の他、アナログ音響入力機能も、デフォルトの機能として設定することができる。
【０２５２】
この場合、ホストデバイス１０では、アナログ音響入力機能が割り当てられるデフォルトの端子としては、対応デバイスでない、4極のプラグを有する既存のプラグデバイスとしてのヘッドセットのプラグが、ジャック１１に挿入されたときに、その既存のヘッドセットのプラグの、ヘッドセットが有するマイクに接続されている端子と接続される端子が採用される。
【０２５３】
したがって、対応デバイスでない既存のヘッドセットの4極のプラグが、ジャック１１に挿入された場合には、スマートフォンとしてのホストデバイス１０において、既存のヘッドセットのマイクで集音された音響に対応する音響信号は、ジャック１１、及び、機能切り替え部１５を介して、デフォルトの機能であるアナログ音響入力機能を有する機能ブロック１６２に供給され、さらに、信号処理部１８に供給されて処理される。
【０２５４】
以上により、対応デバイスでない既存のヘッドセットの4極のプラグが、ジャック１１に挿入された場合に、その4極のプラグを有する既存のヘッドセットのマイクを使用することができる。
【０２５５】
同様に、ヘッドセットとしてのペリフェラルデバイス２０では、アナログ音響出力機能、アナログ音響入力機能、及び、機能aないしcのうちの、アナログ音響出力機能の他、アナログ音響入力機能も、デフォルトの機能として設定することができる。
【０２５６】
この場合、ペリフェラルデバイス２０では、アナログ音響入力機能が割り当てられるデフォルトの端子としては、対応デバイスでない、4極のジャックを有する既存のジャックデバイスとしてのスマートフォンのジャックに、プラグ２１が挿入されたときに、その既存のスマートフォンのジャックの、音声入力用の端子と接続される端子が採用される。
【０２５７】
したがって、対応デバイスでない既存のスマートフォンの4極のジャックに、プラグ２１が挿入された場合には、ヘッドセットとしてのペリフェラルデバイス２０において、デフォルトの機能であるアナログ音声入力機能を有する機能ブロック２６２で集音された音響に対応する音響信号は、機能切り替え部２５、及び、プラグ２１を介して、既存のスマートフォンに入力される。
【０２５８】
以上により、対応デバイスでない既存のスマートフォンの4極のジャックに、プラグ２１に挿入された場合に、4極のジャックを有する既存のスマートフォンに、機能ブロック２６２で集音された音響に対応する音響信号を入力（供給）し、処理することができる。
【０２５９】
＜信号処理システムの第２の具体例＞
【０２６０】
図４は、図１の信号処理システムの第２の具体例を示すブロック図である。
【０２６１】
なお、図中、図３の場合と対応する部分については、同一の符号を付してあり、以下では、その説明は、適宜省略する。
【０２６２】
図４において、ホストデバイス１０は、ジャック１１、対応検出部１２、送受信処理部１３、制御部１４、機能ブロック１６３ないし１６５、及び、信号処理部１８を有する点で、図３の場合と共通する。
【０２６３】
但し、図４のホストデバイス１０は、機能切り替え部１５、並びに、機能ブロック１６１及び１６２を有していない点で、図３の場合と相違する。
【０２６４】
さらに、図４のホストデバイス１０は、機能ブロック１６３ないし１６５が、ジャック１１の端子J3ないしJ5に、それぞれ、固定的に接続されている点で、機能ブロック１６３ないし１６５それぞれを接続するジャック１１の端子J#nを切り替えることができる図３の場合と相違する。
【０２６５】
また、図４において、ペリフェラルデバイス２０は、プラグ２１、対応検出部２２、送受信処理部２３、制御部２４、機能切り替え部２５、機能ブロック２６１ないし２６５、ディジタルマイク部２８１、スイッチ部２８２、及び、GPIOデバイス部２８３を有する点で、図３の場合と共通する。
【０２６６】
但し、図４のペリフェラルデバイス２０は、記憶部２７を有していない点で、図３の場合と相違する。
【０２６７】
以上のように、図４では、ホストデバイス１０が、機能切り替え部１５を有しておらず、機能ブロック１６３ないし１６５が、ジャック１１の端子J3ないしJ5に、それぞれ、固定的に接続されているため、ジャック１１の端子J#nに割り当てる機能を切り替えることはできない。
【０２６８】
したがって、ホストデバイス１０では、ペリフェラルデバイス２０のデバイス情報に応じて、ジャック１１の端子J#nに割り当てる機能を切り替えることができないため、ペリフェラルデバイス２０は、デバイス情報を記憶する記憶部２７を有していない。
【０２６９】
そのため、ホストデバイス１０からペリフェラルデバイス２０には、ホストデバイス１０のデバイス情報が送信されるが、ペリフェラルデバイス２０からホストデバイス１０には、ペリフェラルデバイス２０のデバイス情報は、送信されない。
【０２７０】
また、ホストデバイス１０は、機能ブロック１６１及び１６２を有していないので、機能ブロック１６１が有するアナログ音声出力機能、及び、機能ブロック１６２が有するアナログ音声入力機能を有していない。
【０２７１】
但し、ホストデバイス１０は、機能ブロック１６３ないし１６５を有するので、その機能ブロック１６３ないし１６５がそれぞれの機能aないしcを有している。
【０２７２】
そのため、ホストデバイス１０の記憶部１７には、機能aないしcを有する旨の情報を含むホストデバイス１０のデバイス情報が記憶されている。なお、ホストデバイス１０のデバイス情報には、機能aないしcが割り当てられているジャック１１の端子J#nの情報（例えば、端子番号）も含まれる。
【０２７３】
以上のように構成される信号処理システムでは、プラグ２１がジャック１１に挿入されると、図３の場合と同様に、対応検出部１２において、ジャック１１にプラグが挿入されたプラグデバイスとしてのペリフェラルデバイス２０が対応デバイスであることが検出されるとともに、対応検出部２２において、プラグ２１がジャックに挿入されたジャックデバイスとしてのホストデバイス１０が対応デバイスであるであることが検出され、ホストデバイス１０とペリフェラルデバイス２０との間で、多重化データを送受信する多重化通信が開始される。
【０２７４】
多重化通信では、ホストデバイス１０からペリフェラルデバイス２０に、ホストデバイス１０のデバイス情報を含む多重化データが送信される。
【０２７５】
ペリフェラルデバイス２０では、制御部２４が、ホストデバイス１０のデバイス情報に基づき、ホストデバイス１０が機能aないしcを有することと、その機能aないしcが割り当てられているジャック１１の端子J#nの端子番号を認識する。
【０２７６】
そして、制御部２４は、ホストデバイス１０のデバイス情報から認識した情報に基づき、ペリフェラルデバイス２０が有するアナログ音響出力機能、アナログ音響入力機能、及び、機能aないしcのうちの、ホストデバイス１０との共通機能である機能aないしcを、その機能aないしcが割り当てられているジャック１１の端子J#nと同一の端子番号のプラグ２１の端子P#nに割り当てる。
【０２７７】
その結果、ホストデバイス１０の機能aを有する機能ブロック１６３とペリフェラルデバイス２０の機能aを有する機能ブロック２６３、ホストデバイス１０の機能bを有する機能ブロック１６４とペリフェラルデバイス２０の機能bを有する機能ブロック２６４、及び、ホストデバイス１０の機能cを有する機能ブロック１６５とペリフェラルデバイス２０の機能cを有する機能ブロック２６５が、ジャック１１、プラグ２１、及び、機能切り替え部２５を介して、それぞれ接続され、これにより、機能aないしcが提供される。
【０２７８】
なお、図４の信号処理システムにおいて、機能切り替え部１５を有しないホストデバイス１０は、後方互換性を有しないが、機能切り替え部２５を有するペリフェラルデバイス２０は、後方互換性を有する。
【０２７９】
＜信号処理システムの第３の具体例＞
【０２８０】
図５は、図１の信号処理システムの第３の具体例を示すブロック図である。
【０２８１】
なお、図中、図３の場合と対応する部分については、同一の符号を付してあり、以下では、その説明は、適宜省略する。
【０２８２】
図５において、ペリフェラルデバイス２０は、プラグ２１、対応検出部２２、送受信処理部２３、制御部２４、機能ブロック２６１ないし２６３、記憶部２７、ディジタルマイク部２８１、スイッチ部２８２、及び、GPIOデバイス部２８３を有する点で、図３の場合と共通する。
【０２８３】
但し、図５のペリフェラルデバイス２０は、機能切り替え部２５、並びに、機能ブロック２６４及び２６５を有していない点で、図３の場合と相違する。
【０２８４】
さらに、図５のペリフェラルデバイス２０は、機能ブロック２６１ないし２６３が、プラグ２１の端子P3ないしP5に、それぞれ、固定的に接続されている点で、機能ブロック２６１ないし２６３それぞれを接続するプラグ２１の端子J#nを切り替えることができる図３の場合と相違する。
【０２８５】
また、図５において、ホストデバイス１０は、ジャック１１、対応検出部１２、送受信処理部１３、制御部１４、機能切り替え部１５、機能ブロック１６１ないし１６５、及び、信号処理部１８を有する点で、図３の場合と共通する。
【０２８６】
但し、図５のホストデバイス１０は、記憶部１７を有していない点で、図３の場合と相違する。
【０２８７】
以上のように、図５では、ペリフェラルデバイス２０が、機能切り替え部２５を有しておらず、機能ブロック２６１ないし２６３が、プラグ２１の端子P3ないしP5に、それぞれ、固定的に接続されているため、プラグ２１の端子P#nに割り当てる機能を切り替えることはできない。
【０２８８】
したがって、ペリフェラルデバイス２０では、ホストデバイス１０のデバイス情報に応じて、プラグ２１の端子P#nに割り当てる機能を切り替えることができないため、ホストデバイス１０は、デバイス情報を記憶する記憶部１７を有していない。
【０２８９】
そのため、ペリフェラルデバイス２０からホストデバイス１０には、ペリフェラルデバイス２０のデバイス情報が送信されるが、ホストデバイス１０からペリフェラルデバイス２０には、ホストデバイス１０のデバイス情報は、送信されない。
【０２９０】
また、ペリフェラルデバイス２０は、機能ブロック２６４及び２６５を有していないので、機能ブロック２６４が有する機能b、及び、機能ブロック２６５が有する機能cを有していない。
【０２９１】
但し、ペリフェラルデバイス２０は、機能ブロック２６１ないし２６３を有するので、その機能ブロック２６１ないし２６３がそれぞれ有するアナログ音響出力機能、アナログ音響入力機能、及び、機能aを有している。
【０２９２】
そのため、ペリフェラルデバイス２０の記憶部２７には、アナログ音響出力機能、アナログ音響入力機能、及び、機能aを有する旨の情報を含むペリフェラルデバイス２０のデバイス情報が記憶されている。なお、ペリフェラルデバイス２０のデバイス情報には、アナログ音響出力機能、アナログ音響入力機能、及び、機能aが割り当てられているプラグ２１の端子P#nの情報（例えば、端子番号）も含まれる。
【０２９３】
以上のように構成される信号処理システムでは、ジャック１１にプラグ２１が挿入されると、図３の場合と同様に、対応検出部２２において、プラグ２１がジャックに挿入されたジャックデバイスとしてのホストデバイス１０が対応デバイスであることが検出されるとともに、対応検出部１２において、ジャック１１にプラグが挿入されたプラグデバイスとしてのペリフェラルデバイス２０が対応デバイスであるであることが検出され、ペリフェラルデバイス２０とホストデバイス１０との間で、多重化データを送受信する多重化通信が開始される。
【０２９４】
多重化通信では、ペリフェラルデバイス２０からホストデバイス１０に、ペリフェラルデバイス２０のデバイス情報を含む多重化データが送信される。
【０２９５】
ホストデバイス１０では、制御部１４が、ペリフェラルデバイス２０のデバイス情報に基づき、ペリフェラルデバイス２０がアナログ音響出力機能、アナログ音響入力機能、及び、機能aを有することと、そのアナログ音響出力機能、アナログ音響入力機能、及び、機能aが割り当てられているプラグ２１の端子P#nの端子番号を認識する。
【０２９６】
そして、制御部１４は、ペリフェラルデバイス２０のデバイス情報から認識した情報に基づき、ホストデバイス１０が有するアナログ音響出力機能、アナログ音響入力機能、及び、機能aないしcのうちの、ペリフェラルデバイス２０との共通機能であるアナログ音響出力機能、アナログ音響入力機能、及び、機能aを、そのアナログ音響出力機能、アナログ音響入力機能、及び、機能aが割り当てられているプラグ２１の端子P#nと同一の端子番号のジャック１１の端子J#nに割り当てる。
【０２９７】
その結果、ペリフェラルデバイス２０のアナログ音響出力機能を有する機能ブロック２６１とホストデバイス１０のアナログ音響出力機能を有する機能ブロック１６１、ペリフェラルデバイス２０のアナログ音響入力機能を有する機能ブロック２６２とホストデバイス１０のアナログ音響出力機能を有する機能ブロック１６２、及び、ペリフェラルデバイス２０の機能aを有する機能ブロック２６３とホストデバイス１０の機能aを有する機能ブロック１６３が、機能切り替え部１５、ジャック１１、及び、プラグ２１を介して、それぞれ接続され、これにより、アナログ音響出力機能、アナログ音響入力機能、及び、機能aが提供される。
【０２９８】
なお、図５の信号処理システムにおいて、機能切り替え部２５を有しないペリフェラルデバイス２０は、後方互換性を有しないが、機能切り替え部１５を有するホストデバイス１０は、後方互換性を有する。
【０２９９】
＜ジャック１１への、プラグ２１の挿抜＞
【０３００】
図６は、ジャック１１への、プラグ２１の挿抜を説明する図である。
【０３０１】
なお、以下では、ホストデバイス１０及びペリフェラルデバイス２０の構成は、例えば、図３の第１の具体例の構成になっていることとする。
【０３０２】
図６のＡは、ジャック１１からプラグ２１が完全に抜去されている抜去状態を示している。
【０３０３】
抜去状態では、ジャック１１の端子J#nのいずれも、プラグ２１の端子P#nのいずれとも接続されない。
【０３０４】
図６のＢは、プラグ２１が、ジャック１１に完全に挿入された完挿状態を示している。
【０３０５】
完挿状態では、ジャック１１及びプラグ２１の同一の端子番号の端子J#n及びP#nどうしがすべて接続される。すなわち、ジャック１１の端子J1ないしJ5と、プラグ２１の端子P1ないしP5とが、それぞれ接続される。
【０３０６】
図６のＣは、抜去状態から、プラグ２１をジャック１１に挿入する途中の半挿状態、又は、完挿状態から、プラグ２１をジャック１１から抜去する途中の半挿状態を示している。
【０３０７】
図６のＣの半挿状態では、ジャック１１の端子J4及びJ5が、いずれも、プラグ２１の端子P5に接触しており、したがって、ジャック１１の端子J4とプラグ２１の端子P5とが、本来接続されるべきではないのに、意図せず短絡し、さらに、ジャック１１の端子J4とJ5とが、端子P5を介して、意図せず短絡している。
【０３０８】
以上のように、多極単頭プラグであるプラグ２１を、ジャック１１に挿抜するときには、その挿抜中の半挿状態において、端子番号が異なるジャック１１の端子J#nとプラグ２１の端子P#n'とが短絡することや（n≠n'）、ジャック１１の２つの端子J#nとJ#n+1とが、意図せず短絡すること等がある。
【０３０９】
ジャック１１の２つの端子J#nとJ#n+1とが短絡した場合、例えば、その２つの端子J#n及びJ#n+1の一方の端子に、電源機能が割り当てられており、その電源機能が割り当てられている端子から、電源となる電力が供給されるときには、２つの端子J#nとJ#n+1とを介して、ホストデバイス１０に過度の電流や電圧が供給され、ホストデバイス１０が正常動作しなくなるおそれがある。
【０３１０】
また、端子番号が異なるジャック１１の端子J#nとプラグ２１の端子P#n'とが短絡した場合も同様に、例えば、端子J#n及びP#n'のうちの一方の端子に、電源機能が割り当てられており、その電源機能が割り当てられている端子から、電源となる電力が供給されるときには、端子P#n'又はJ#nを経由して、ペリフェラルデバイス２０又はホストデバイス１０に、過度の電流や電圧が供給され、ホストデバイス１０やペリフェラルデバイス２０が正常動作しなくなるおそれがある。
【０３１１】
そこで、以下、ホストデバイス１０やペリフェラルデバイス２０に、以上のような意図しない短絡により、過度の電流や電圧が供給されるといった、意図しない電力の供給等を防止する、意図しない短絡の保護技術を説明する。
【０３１２】
＜意図しない短絡の保護技術＞
【０３１３】
図７は、抜去状態から、プラグ２１をジャック１１に挿入する様子を示す図である。
【０３１４】
図７のＡは、ジャック１１からプラグ２１が抜去されている抜去状態を示している。
【０３１５】
なお、以下では、特に断らない限り、図７のＡに示すように、端子J1及びP1に、多重化通信の機能が割り当てられ、端子J2及びP2は、グランドに接続されていることとする。さらに、機能cを電源機能として、端子J3及びP3には、機能cである電源機能が割り当てられることとする。また、端子J4及びP4には、機能aが割り当てられ、端子J5及びP5には、機能bが割り当てられることとする。
【０３１６】
さらに、電源機能については、例えば、ホストデバイス１０からペリフェラルデバイス２０に対して、電源機能が割り当てられているジャック１１の端子J3、及び、プラグ２１の端子P3を介して、電源となる電力が供給されることとする。
【０３１７】
以上のように、ホストデバイス１０からペリフェラルデバイス２０に、電源となる電力が供給される場合、その電源となる電力は、ジャック１１の端子J3から、プラグ２１の端子P3に供給される。以下、端子J3のように、電源となる電力を供給する端子を、電源供給端子ともいい、端子P3のように、電源となる電力の供給を受ける端子を、電源受け取り端子ともいう。
【０３１８】
また、以下、グランドに接続された端子J2及びP2のような端子を、それぞれ、GND端子ともいう。
【０３１９】
図７のＢは、図７のＡの抜去状態から、プラグ２１をジャック１１に挿入する途中の半挿状態１を示している。
【０３２０】
図７のＢでは、ジャック１１のGND端子J2、及び、ジャック１１の電源供給端子J3と、機能bが割り当てられたプラグ２１の端子P5とが短絡している（接続されている）。その結果、端子J2とJ3とが、端子P5を介して短絡している。
【０３２１】
図７のＣは、図７のＢの半挿状態１から、さらに、プラグ２１がジャック１１に挿入された半挿状態２を示している。
【０３２２】
図７のＣでは、ジャック１１の電源供給端子J3、及び、機能aが割り当てられたジャック１１の端子J4と、機能bが割り当てられたプラグ２１の端子P5とが短絡している。その結果、端子J3とJ4とが、端子P5を介して短絡している。
【０３２３】
また、図７のＣでは、多重化通信の機能が割り当てられたジャック１１の端子J1と、プラグ２１の電源受け取り端子P3とが短絡するとともに、ジャック１１のGND端子J2と、機能aが割り当てられたプラグ２１の端子P4とが短絡している。
【０３２４】
図７のＤは、図７のＣの半挿状態２から、さらに、プラグ２１がジャック１１に挿入された半挿状態３を示している。
【０３２５】
図７のＤでは、機能aが割り当てられたジャック１１の端子J4と、機能bが割り当てられたプラグ２１の端子P5とが短絡するとともに、ジャック１１の電源供給端子J3と、機能aが割り当てられたプラグ２１の端子P4とが短絡している。
【０３２６】
また、図７のＣでは、ジャック１１のGND端子J2と、プラグ２１の電源受け取り端子P3とが短絡するとともに、多重化通信の機能が割り当てられたジャック１１の端子J1と、プラグ２１のGND端子P2とが短絡している。
【０３２７】
図７のＥは、図７のＤの半挿状態３から、さらに、プラグ２１がジャック１１に挿入され、プラグ２１がジャック１１に完全に挿入された完挿状態を示している。
【０３２８】
図７のＥでは、本来接続されるべきジャック１１の端子J1ないしJ5と、プラグ２１の端子P1ないしP5とが、それぞれ短絡している（接続されている）。
【０３２９】
図８は、プラグ２１がジャック１１に挿入されるときの、その挿入の状態の変化を説明するフローチャートである。
【０３３０】
図７のＡで説明した抜去状態から、プラグ２１の、ジャック１１への挿入が開始されると、ステップＳ４１において、プラグ２１（及びジャック１１）は、図７のＢで説明した半挿状態１になり、さらに、プラグ２１の挿入が続行されると、ステップＳ４２において、プラグ２１は、図７のＣで説明した半挿状態２になる。
【０３３１】
さらに、プラグ２１の挿入が続行されると、ステップＳ４３において、プラグ２１は、図７のＤで説明した半挿状態３になる。そして、その後、プラグ２１は、図７のＥで説明した完挿状態になる。
【０３３２】
図９は、ホストデバイス１０からペリフェラルデバイス２０に、電源となる電力が供給される場合において、プラグ２１がジャック１１に挿入されるときの、意図しない短絡の保護技術を説明する図である。
【０３３３】
ホストデバイス１０からペリフェラルデバイス２０に、電源となる電力が供給される場合において、プラグ２１がジャック１１に挿入されるときには、ホストデバイス１０とペリフェラルデバイス２０とが、デバイス情報を含む多重化データを送受信するまでは、ジャック１１の端子J3ないしJ5と、電源機能、並びに、機能a及びb（を有する機能ブロック１６ｋ）との間を切断する。そして、ホストデバイス１０とペリフェラルデバイス２０とが、デバイス情報を含む多重化データを送受信した後に、機能切り替え部１５において、ジャック１１の端子J3ないしJ5と、電源機能、並びに、機能a及びb（を有する機能ブロック１６ｋ）とを接続することで、意図しない短絡の保護技術を実現する。
【０３３４】
図９のＡは、ジャック１１からプラグ２１が抜去されている抜去状態を示している。
【０３３５】
図９のＡでは、機能切り替え部１５において、ジャック１１の端子J3ないしJ5と、電源機能、並びに、機能a及びb（を有する機能ブロック１６ｋ）との間が、（電気的に）切断されている。
【０３３６】
図９のＢは、図９のＡの抜去状態から、プラグ２１をジャック１１に挿入する途中の半挿状態１を示している。
【０３３７】
図９のＢでは、ジャック１１のGND端子J2、及び、ジャック１１の電源供給端子J3と、プラグ２１の端子P5とが短絡している（接続されている）。
【０３３８】
したがって、電源供給端子J3が、電源受け取り端子ではない端子J2及びP5と、直接的又は間接的に短絡している。
【０３３９】
但し、図９のＢでは、機能切り替え部１５において、ジャック１１の端子J3ないしJ5と、電源機能、並びに、機能a及びbとの間が切断されているので、電源供給端子J3から、その電源供給端子J3と短絡している端子J2及びP5に、電力が供給されることはない。
【０３４０】
図９のＣは、図９のＢの半挿状態１から、さらに、プラグ２１がジャック１１に挿入された半挿状態２を示している。
【０３４１】
図９のＣでは、ジャック１１の端子J4と、プラグ２１の端子P5とが短絡するとともに、ジャック１１の電源供給端子J3と、プラグ２１の端子P4とが短絡している。
【０３４２】
また、図９のＣでは、ジャック１１のGND端子J2と、プラグ２１の電源受け取り端子P3とが短絡するとともに、ジャック１１の端子J1と、プラグ２１のGND端子P2とが短絡している。
【０３４３】
したがって、電源供給端子J3が、電源受け取り端子ではない端子P4と短絡している。
【０３４４】
但し、図９のＣでは、機能切り替え部１５において、ジャック１１の端子J3ないしJ5と、電源機能、並びに、機能a及びbとの間が切断されているので、電源供給端子J3から、その電源供給端子J3と短絡している端子P4に、電力が供給されることはない。
【０３４５】
図９のＤは、図９のＣの半挿状態２から、さらに、プラグ２１がジャック１１に挿入され、プラグ２１がジャック１１に完全に挿入された直後の完挿状態１を示している。
【０３４６】
図９のＤでは、本来接続されるべきジャック１１の端子J1ないしJ5と、プラグ２１の端子P1ないしP5とが、それぞれ短絡している（接続されている）。
【０３４７】
したがって、ホストデバイス１０及びペリフェラルデバイス２０では、多重化通信の機能が割り当てられているジャック１１の端子J1、及び、プラグ２１の端子P1を介して、認証パターンPTNJ及びPTNPがやりとりされ、互いに、対応デバイスであることが検出される。
【０３４８】
さらに、ホストデバイス１０及びペリフェラルデバイス２０では、デバイス情報を含む多重化データがやりとりされる。
【０３４９】
ホストデバイス１０では、送受信処理部１３において、ペリフェラルデバイス２０のデバイス情報を含む多重化データが受信されると、制御部１４が、ジャック１１の端子J3ないしJ5と、電源機能、並びに、機能a及びb（を有する機能ブロック１６ｋ）とを接続するように、機能切り替え部１５を制御する。
【０３５０】
これにより、機能切り替え部１５では、ジャック１１の端子J3ないしJ5と、電源機能、並びに、機能a及びb（を有する機能ブロック１６ｋ）とがそれぞれ接続される。
【０３５１】
図９のＥは、図９Ｄの完挿状態１になってから、ホストデバイス１０及びペリフェラルデバイス２０において、デバイス情報を含む多重化データがやりとりされた直後の完挿状態２を示している。
【０３５２】
図９のＥでは、上述したように、機能切り替え部１５において、ジャック１１の端子J3ないしJ5と、電源機能、並びに、機能a及びbとがそれぞれ接続されている。
【０３５３】
したがって、ホストデバイス１０では、電源供給端子J3から、電源となる電力の供給が行われるが、その電力は、電源供給端子J3と短絡している電力受け取り端子P3を介して、ペリフェラルデバイス２０に供給される。
【０３５４】
以上のように、ホストデバイス１０からペリフェラルデバイス２０に、電源となる電力が供給される場合において、プラグ２１がジャック１１に挿入されるときには、デバイス情報を含む多重化データのやりとり等の、多重化データの通信を行うことができるようになるまでは、機能切り替え部１５において、ジャック１１の端子J3ないしJ5と、電源機能、並びに、機能a及びbとをそれぞれ切断しておき、多重化データの通信を行うことができるようになったことをもって、プラグ２１がジャック１１に完挿されたとして、機能切り替え部１５において、ジャック１１の端子J3ないしJ5と、電源機能、並びに、機能a及びbとをそれぞれ接続することで、プラグ２１をジャック１１に挿入する途中の半挿状態において、電源供給端子J3が、電源受け取り端子ではない端子J#nやP#nと短絡しても、電源となる電力が、電源受け取り端子ではない端子に供給されること防止することができる。
【０３５５】
図１０は、図９に示した、意図しない短絡の保護技術を説明するフローチャートである。
【０３５６】
図９のＡで説明した抜去状態から、プラグ２１の、ジャック１１への挿入が開始されると、ステップＳ５１において、プラグ２１は、図９のＢで説明した半挿状態１になり、さらに、プラグ２１の挿入が続行されると、ステップＳ５２において、プラグ２１は、図９のＣで説明した半挿状態２になる。
【０３５７】
さらに、プラグ２１の挿入が続行されると、ステップＳ５３において、プラグ２１は、図９のＤで説明した完挿状態１になる。
【０３５８】
ここで、ステップＳ５１の半挿状態１、ステップＳ５２の半挿状態２、及び、ステップＳ５３の完挿状態１では、機能切り替え部１５において、ジャック１１の端子J3ないしJ5と、電源機能、並びに、機能a及びbとの間が切断されている（未接続になっている）。
【０３５９】
プラグ２１が、図９のＤで説明した完挿状態１になると、本来接続されるべきジャック１１の端子J1ないしJ5と、プラグ２１の端子P1ないしP5とが、それぞれ接続される。
【０３６０】
その結果、ホストデバイス１０及びペリフェラルデバイス２０では、ステップＳ５４において、多重化通信の機能が割り当てられているジャック１１の端子J1、及び、プラグ２１の端子P1を介して、認証パターンPTNJ及びPTNPがやりとりされ、互いに、対応デバイスであることが検出される。
【０３６１】
さらに、ステップＳ５４では、ホストデバイス１０及びペリフェラルデバイス２０において、デバイス情報（を含む多重化データ）がやりとりされる。
【０３６２】
ステップＳ５４において、ホストデバイス１０は、ペリフェラルデバイス２０のデバイス情報を受信（取得）すると、ステップＳ５５において、機能切り替え部１５が、ジャック１１の端子J3ないしJ5と、電源機能、並びに、機能a及びbをそれぞれ接続する。
【０３６３】
その結果、ホストデバイス１０からペリフェラルデバイス２０に、電源となる電力が供給され、さらに、ホストデバイス１０及びペリフェラルデバイス２０において、機能a及びbが提供される。
【０３６４】
図１１は、完挿状態から、プラグ２１をジャック１１から抜去する様子を示す図である。
【０３６５】
図１１のＡは、図９のＥと同様の完挿状態を示している。
【０３６６】
図１１のＡでは、本来接続されるべきジャック１１の端子J1ないしJ5と、プラグ２１の端子P1ないしP5とが、それぞれ短絡している（接続されている）。
【０３６７】
さらに、図１１のＡでは、プラグ２１が完挿状態となって、ホストデバイス１０とペリフェラルデバイス２０との間での、デバイス情報のやりとりが完了しているので、機能切り替え部１５において、ジャック１１の端子J3ないしJ5と、電源機能、並びに、機能a及びbとが、それぞれ接続されている。
【０３６８】
図１１のＢは、図１１のＡの完挿状態から、プラグ２１をジャック１１から抜去する途中の半挿状態１を示している。
【０３６９】
図１１のＢでは、機能aが割り当てられたジャック１１の端子J4、及び、機能bが割り当てられたジャック１１の端子J5と、機能bが割り当てられたプラグ２１の端子P5とが短絡するとともに、ジャック１１の電源供給端子J3と、機能aが割り当てられたプラグ２１の端子P4とが短絡している。
【０３７０】
また、図１１のＢでは、ジャック１１のGND端子J2と、プラグ２１の電源受け取り端子P3とが短絡するとともに、多重化通信の機能が割り当てられたジャック１１の端子J1と、プラグ２１のGND端子P2とが短絡している。
【０３７１】
さらに、図１１のＢでは、機能切り替え部１５において、ジャック１１の端子J3ないしJ5と、電源機能、並びに、機能a及びbとが、それぞれ接続されている。
【０３７２】
したがって、図１１のＢでは、電源供給端子J3から、その電源供給端子J3と意図せず短絡している、電源受け取り端子でない端子P4に、電源としての電力が供給される。
【０３７３】
図１１のＣは、図１１のＢの半挿状態１から、さらに、プラグ２１がジャック１１から抜去された半挿状態２を示している。
【０３７４】
図１１のＣでは、ジャック１１の電源供給端子J3、及び、機能aが割り当てられたジャック１１の端子J4と、機能bが割り当てられたプラグ２１の端子P5とが短絡している。すなわち、電源供給端子J3が、端子J4及びP5と短絡している。
【０３７５】
また、図１１のＣでは、多重化通信の機能が割り当てられたジャック１１の端子J1と、プラグ２１の電源受け取り端子P3とが短絡するとともに、ジャック１１のGND端子J2と、機能aが割り当てられたプラグ２１の端子P4とが短絡している。
【０３７６】
さらに、図１１のＣでは、機能切り替え部１５において、ジャック１１の端子J3ないしJ5と、電源機能、並びに、機能a及びbとが、それぞれ接続されている。
【０３７７】
したがって、図１１のＣでは、電源供給端子J3から、その電源供給端子J3と意図せず短絡している、電源受け取り端子でない端子J4及びP5に、電源としての電力が供給される。
【０３７８】
図１１のＤは、図１１のＣの半挿状態２から、さらに、プラグ２１がジャック１１から抜去された半挿状態３を示している。
【０３７９】
図１１のＤでは、ジャック１１のGND端子J2、及び、ジャック１１の電源供給端子J3と、機能bが割り当てられたプラグ２１の端子P5とが短絡している。すなわち、電源供給端子J3が、端子J2及びP5と短絡している。
【０３８０】
また、図１１のＤでは、多重化通信の機能が割り当てられたジャック１１の端子J1と、機能aが割り当てられたプラグ２１の端子P4とが短絡している。
【０３８１】
さらに、図１１のＤでは、機能切り替え部１５において、ジャック１１の端子J3ないしJ5と、電源機能、並びに、機能a及びbとが、それぞれ接続されている。
【０３８２】
したがって、図１１のＤでは、電源供給端子J3から、その電源供給端子J3と意図せず短絡している、電源受け取り端子でない端子J2及びP5に、電源としての電力が供給される。
【０３８３】
図１１のＥは、図１１のＤの半挿状態３から、さらに、ジャック１１からプラグ２１が抜去され、プラグ２１がジャック１１から完全に抜去された抜去状態を示している。
【０３８４】
図１１のＥでは、機能切り替え部１５において、ジャック１１の端子J3ないしJ5と、電源機能、並びに、機能a及びbとが、それぞれ接続されている。
【０３８５】
しかしながら、抜去状態では、ジャック１１の端子J1ないしJ5のいずれも、プラグ２１の端子P1ないしP5のいずれとも接続（短絡）していないので、電源供給端子J3から、電源受け取り端子でない端子に、電源としての電力が供給されることはない。
【０３８６】
図１２は、ホストデバイス１０からペリフェラルデバイス２０に、電源となる電力が供給される場合において、プラグ２１がジャック１１から抜去されるときの、意図しない短絡の保護技術を説明する図である。
【０３８７】
ホストデバイス１０からペリフェラルデバイス２０に、電源となる電力が供給される場合において、プラグ２１がジャック１１から抜去されるときには、抜去の開始を検出し、その抜去の開始をトリガとして、ジャック１１の端子J3ないしJ5と、電源機能、並びに、機能a及びb（を有する機能ブロック１６ｋ）との間を切断することで、意図しない短絡の保護技術を実現することができる。
【０３８８】
図１２のＡは、図１１のＡと同様の完挿状態を示している。
【０３８９】
すなわち、図１２のＡでは、本来接続されるべきジャック１１のJ1ないしJ5と、プラグ２１のP1ないしP5とが、それぞれ短絡している。さらに、機能切り替え部１５において、ジャック１１の端子J3ないしJ5と、電源機能、並びに、機能a及びbとが、それぞれ接続されている。
【０３９０】
図１２のＢは、図１２のＡの完挿状態から、プラグ２１をジャック１１から抜去する途中の半挿状態１を示している。
【０３９１】
図１２のＢの半挿入状態１では、完挿状態から、プラグ２１をジャック１１から抜去することが開始され、完挿状態では短絡していたジャック１１の端子J1とプラグ２１の端子P1との間が切断された状態になっている。すなわち、ジャック１１の端子J1は、プラグ２１の端子P1とP2との間の絶縁体に接触している。
【０３９２】
ここで、完挿状態から、プラグ２１を抜去する過程において、完挿状態で短絡している端子J#n及びP#nの中で、ジャック１１の最も挿入口側にある端子J1と、プラグ２１の最も根元側にある端子P1との接続（短絡）が、最初に切断されるように、ジャック１１及びプラグ２１は構成されている。
【０３９３】
図１２のＢでは、端子J1とP1との接続だけが切断され、他の端子J2ないしJ5と端子P2ないしP5とのそれぞれの接続は、維持されている。したがって、ジャック１１の電源供給端子J3と、プラグ２１の電源受け取り端子J3とは接続されており、電源供給端子J3からは、電力を供給すべき電源受け取り端子P3に、電源としての電力が供給される。
【０３９４】
端子J1及びP1には、多重化通信の機能が割り当てられているので、端子J1とP1との接続が切断されると、ホストデバイス１０とペリフェラルデバイス２０との間では、多重化通信を行うことができなくなる。
【０３９５】
図１２のＣは、上述のように、端子J1とP1との接続が切断され、ホストデバイス１０とペリフェラルデバイス２０との間で、多重化通信を行うことができなくなった直後の半挿状態２を示している。
【０３９６】
ホストデバイス１０とペリフェラルデバイス２０との間で、多重化通信を行うことができなくなった場合には、ホストデバイス１０の送受信処理部１３において、多重化データを送受信することができない状態（以下、通信不可状態といもいう）であることが、多重化データの通信状態として検出（認識）される。
【０３９７】
送受信処理部１３は、多重化データの通信状態として、通信不可状態を検出した場合、その旨を、制御部１４に供給し、制御部１４は、送受信処理部１３から、多重化データの通信状態が、通信不可状態である旨が供給されると、その通信不可状態に基づき、機能切り替え部１５を制御することにより、ジャック１１の端子J3ないしJ5と、電源機能、並びに、機能a及びbとの間を切断させる。
【０３９８】
図１２のＣでは、機能切り替え部１５において、ジャック１１の端子J3ないしJ5と、電源機能、並びに、機能a及びbとの間が、それぞれ切断されている。
【０３９９】
なお、図１２のＣでは、図１２のＢと同様に、端子J2ないしJ5と端子P2ないしP5とのそれぞれの接続は維持されている。したがって、ジャック１１の電源供給端子J3と、プラグ２１の電源受け取り端子J3とは接続されている。
【０４００】
但し、図１２のＣでは、機能切り替え部１５において、ジャック１１の端子J3ないしJ5と、電源機能、並びに、機能a及びbとの間が切断されているので、電源供給端子J3から、その電源供給端子J3と接続（短絡）している電源受け取り端子P3に、電力が供給されることはない。
【０４０１】
図１２のＤは、図１２のＣの半挿状態２から、さらに、プラグ２１がジャック１１から抜去された半挿状態３を示している。
【０４０２】
図１２のＤでは、機能aが割り当てられたジャック１１の端子J4、及び、機能bが割り当てられたジャック１１の端子J5と、機能bが割り当てられたプラグ２１の端子P5とが短絡するとともに、ジャック１１の電源供給端子J3と、機能aが割り当てられたプラグ２１の端子P4とが短絡している。
【０４０３】
また、図１２のＤでは、ジャック１１のGND端子J2と、プラグ２１の電源受け取り端子P3とが短絡するとともに、多重化通信の機能が割り当てられたジャック１１の端子J1と、プラグ２１のGND端子P2とが短絡している。
【０４０４】
したがって、電源供給端子J3が、電源受け取り端子ではない端子P4と短絡している。
【０４０５】
但し、図１２のＤでは、機能切り替え部１５において、ジャック１１の端子J3ないしJ5と、電源機能、並びに、機能a及びbとの間が切断されているので、電源供給端子J3から、その電源供給端子J3と短絡している端子P4に、電力が供給されることはない。
【０４０６】
図１２のＥは、図１２のＤの半挿状態３から、さらに、ジャック１１からプラグ２１が抜去され、プラグ２１がジャック１１から完全に抜去された抜去状態を示している。
【０４０７】
図１２のＥでは、機能切り替え部１５において、ジャック１１の端子J3ないしJ5と、電源機能、並びに、機能a及びbとの間が切断されている。
【０４０８】
また、抜去状態では、ジャック１１の端子J1ないしJ5のいずれも、プラグ２１の端子P1ないしP5のいずれとも接続していない。
【０４０９】
したがって、電源供給端子J3から、電源受け取り端子でない端子に、電源としての電力が供給されることはない。
【０４１０】
以上のように、ホストデバイス１０からペリフェラルデバイス２０に、電源となる電力が供給される場合において、プラグ２１がジャック１１から抜去されるときには、多重化データの通信を行うことができなくなるまでは、機能切り替え部１５において、ジャック１１の端子J3ないしJ5と、電源機能、並びに、機能a及びbとのそれぞれの接続を維持し、多重化データの通信を行うことができなくなったことをもって、プラグ２１の抜去が開始されたとして、機能切り替え部１５において、ジャック１１の端子J3ないしJ5と、電源機能、並びに、機能a及びbとをそれぞれ切断することで、プラグ２１をジャック１１から抜去する途中の半挿状態において、電源供給端子J3が、電源受け取り端子ではない端子J#nやP#nと短絡しても、電源となる電力が、電源受け取り端子ではない端子に供給されること防止することができる。
【０４１１】
なお、プラグ２１の抜去の開始を含む挿抜を検出する方法としては、多重化データの通信を行うことができなくなったかどうか（多重化通信の状態）を認識する方法の他、例えば、抜去時に、最初に切断される端子J1（やP1）の電圧を検出する方法がある。
【０４１２】
すなわち、例えば、ジャック１１にプラグ２１が挿入されていないときには、ジャック１１の端子J1の電圧がプルアップ又はプルダウンし、ジャック１１にプラグ２１が挿入され、ジャック１１の端子J1とプラグ２１の端子P1とが接続したときに、端子J1の電圧が変化してプルダウン又はプルアップするように、ホストデバイス１０及びペリフェラルデバイス２０を構成し、端子J1の電圧のプルアップやプルダウンを検出することにより、プラグ２１の挿抜を検出することができる。
【０４１３】
プラグ２１の挿抜を検出する方法としては、以上のような多重化通信の状態や、端子J1の電圧を監視する電気的な方法の他、プラグ２１の挿抜を検出するメカニカルな検出機構を用いる方法がある。
【０４１４】
図１３は、プラグ２１の挿抜を検出するメカニカルな検出機構を説明する図である。
【０４１５】
すなわち、図１３は、ジャック１１及びプラグ２１の断面図を示している。
【０４１６】
図１３では、ジャック１０に、端子J1ないしJ5とは別に、プラグ２１が完挿状態（完挿状態に近い状態を含む）であるときに、プラグ２１に接触することで、プラグ（の挿抜）を検出する、独立した検出機構が設けられている。
【０４１７】
検出機構としては、例えば、スイッチや電極（端子）を採用することができる。
【０４１８】
図１４は、ペリフェラルデバイス２０からホストデバイス１０に、電源となる電力が供給される場合において、プラグ２１がジャック１１に挿入されるときの、意図しない短絡の保護技術を説明する図である。
【０４１９】
図１５は、ペリフェラルデバイス２０からホストデバイス１０に、電源となる電力が供給される場合において、プラグ２１がジャック１１から抜去されるときの、意図しない短絡の保護技術を説明する図である。
【０４２０】
ペリフェラルデバイス２０からホストデバイス１０に、電源となる電力が供給される場合には、ホストデバイス１０からペリフェラルデバイス２０に、電源となる電力が供給される場合と同様に、例えば、多重化データの通信状態等に基づき、プラグ２１の挿抜を検出し、プラグ２１が完挿状態でないときには、機能切り替え部２５において、プラグ２１の端子P3ないしP5と、電源機能、並びに、機能a及びb（を有する機能ブロック２６ｌ）とを切断する。そして、プラグ２１が完挿状態であるときには、機能切り替え部２５において、プラグ２１の端子P3ないしP5と、電源機能、並びに、機能a及びb（を有する機能ブロック２６ｌ）とを接続することで、意図しない短絡の保護技術を実現することができる。
【０４２１】
なお、図７で説明したように、端子J3及びP3には、機能cである電源機能が割り当てられているが、図１４及び図１５では、ペリフェラルデバイス２０からホストデバイス１０に、電源となる電力が供給されるので、プラグ２１の端子P3が、電源供給端子であり、ジャック１１の端子J3が、電源受け取り端子である。
【０４２２】
さらに、図１４及び図１５では、ホストデバイス１０のジャック１１の端子J3に割り当てられる電源機能を有する機能ブロック１６ｋは、バッテリを内蔵しており、電源受け取り端子J3に供給される、電源となる電力は、そのバッテリの充電に用いられることとする。電源機能を有する機能ブロック１６ｋが内蔵するバッテリは、図中、点線で示すように、電力を供給する電源として用いることができる。
【０４２３】
電源機能を有する機能ブロック１６ｋにおいて、バッテリを充電するか、又は、バッテリから電源となる電力を供給するかは、ユーザの操作や、ペリフェラルデバイス２０のデバイス情報等に基づいて選択することができる。図１４及び図１５では、バッテリを充電することが選択されている。この場合、ペリフェラルデバイス２０は、バッテリを充電する充電器として機能している、ということができる。
【０４２４】
図１４のＡは、ジャック１１からプラグ２１が抜去されている抜去状態を示している。
【０４２５】
抜去状態、すなわち、多重化通信を行うことができない状態では、ホストデバイス１０の機能切り替え部１５において、ジャック１１の端子J3ないしJ5と、電源機能としてのバッテリ、並びに、機能a及びb（を有する機能ブロック１６ｋ）との間は、切断される（切断されたままになる）。
【０４２６】
同様に、ペリフェラルデバイス２０でも、機能切り替え部２５において、プラグ２１の端子P3ないしP5と、電源機能、並びに、機能a及びb（を有する機能ブロック２６ｌ）との間は、切断される（切断されたままになる）。
【０４２７】
図１４のＢは、図１４のＡの抜去状態から、プラグ２１をジャック１１に挿入する途中の半挿状態１を示している。
【０４２８】
図１４のＢでは、ジャック１１の端子J1と、プラグ２１の電源供給端子P3とが短絡するとともに、ジャック１１のGND端子J2と、プラグ２１の端子P4とが短絡している（接続されている）。
【０４２９】
また、図１４のＢでは、ジャック１１の電源受け取り端子J3、及び、端子J4と、プラグ２１の端子P5とが短絡している。
【０４３０】
したがって、電源供給端子P3が、電源受け取り端子ではない端子J1と短絡している。
【０４３１】
但し、図１４のＢでは、機能切り替え部１５において、ジャック１１の端子J3ないしJ5と、電源機能としてのバッテリ、並びに、機能a及びbとの間が切断され、かつ、機能切り替え部２５において、プラグ２１の端子P3ないしP5と、電源機能、並びに、機能a及びbとの間が切断されているので、電源供給端子P3から、その電源供給端子P3と短絡している端子J1に、電力が供給されることはない。
【０４３２】
図１４のＣは、図１４のＢの半挿状態１から、さらに、プラグ２１がジャック１１に挿入された半挿状態２を示している。
【０４３３】
図１４のＣでは、ジャック１１の端子J1と、プラグ２１のGND端子P2とが短絡するとともに、ジャック１１のGND端子J2と、プラグ２１の電源供給端子P3とが短絡している。
【０４３４】
また、図１４のＣでは、ジャック１１の電源受け取り端子J3と、プラグ２１の端子P4とが短絡するとともに、ジャック１１の端子J4と、プラグ２１の端子P5とが短絡している。
【０４３５】
したがって、電源供給端子P3が、電源受け取り端子ではないGND端子J2と短絡している。
【０４３６】
但し、図１４のＣでは、機能切り替え部１５において、ジャック１１の端子J3ないしJ5と、電源機能としてのバッテリ、並びに、機能a及びbとの間が切断され、かつ、機能切り替え部２５において、プラグ２１の端子P3ないしP5と、電源機能、並びに、機能a及びbとの間が切断されているので、電源供給端子P3から、その電源供給端子P3と短絡しているGND端子J2に、電力が供給されることはない。
【０４３７】
図１４のＤは、図１４のＣの半挿状態２から、さらに、プラグ２１がジャック１１に挿入され、プラグ２１がジャック１１に完全に挿入された直後の完挿状態を示している。
【０４３８】
図１４のＤでは、本来接続されるべきジャック１１の端子J1ないしJ5と、プラグ２１の端子P1ないしP5とが、それぞれ短絡している（接続されている）。
【０４３９】
したがって、ホストデバイス１０及びペリフェラルデバイス２０では、送受信処理部１３と２３との間で、多重化通信の機能が割り当てられているジャック１１の端子J1、及び、プラグ２１の端子P1を介して、多重化データの通信が行われる。
【０４４０】
ホストデバイス１０では、送受信処理部１３が多重化データの通信を行うことができる場合、制御部１４は、プラグ２１（及びジャック１１）が完挿状態であると認識し、機能切り替え部１５を制御することで、ジャック１１の端子J3ないしJ5と、電源機能としてのバッテリ、並びに、機能a及びb（を有する機能ブロック１６ｋ）とを、それぞれ接続させる。
【０４４１】
同様に、ペリフェラルデバイス２０でも、送受信処理部２３が多重化データの通信を行うことができる場合、制御部２４は、プラグ２１（及びジャック１１）が完挿状態であると認識し、機能切り替え部２５を制御することで、プラグ２１の端子P3ないしP5と、電源機能、並びに、機能a及びb（を有する機能ブロック２６ｌ）とを、それぞれ接続させる。
【０４４２】
図１４のＥは、図１４Ｄの完挿状態になってから、ホストデバイス１０及びペリフェラルデバイス２０において、多重化データがやりとりされた直後の完挿状態を示している。
【０４４３】
図１４のＥでは、上述したように、機能切り替え部１５において、ジャック１１の端子J3ないしJ5と、電源機能としてのバッテリ、並びに、機能a及びbとがそれぞれ接続され、かつ、機能切り替え部２５において、プラグ２１の端子P3ないしP5と、電源機能、並びに、機能a及びbとがそれぞれ接続されている。
【０４４４】
したがって、ペリフェラルデバイス２０では、電源供給端子P3から、電源となる電力の供給が行われるが、その電力は、電源供給端子P3と短絡している電力受け取り端子J3を介して、ホストデバイス１０に供給され、電力受け取り端子J3と接続されている電源機能としてのバッテリの充電に用いられる。
【０４４５】
以上のように、ペリフェラルデバイス２０からホストデバイス１０に、電源となる電力が供給される場合において、プラグ２１がジャック１１に挿入されるときには、多重化データの通信を行うことができるようになるまでは、機能切り替え部１５において、ジャック１１の端子J3ないしJ5と、電源機能としてのバッテリ、並びに、機能a及びbとをそれぞれ切断するとともに、機能切り替え部２５において、プラグ２１の端子P3ないしP5と、電源機能、並びに、機能a及びbとをそれぞれ切断しておき、多重化データの通信を行うことができるようになったことをもって、プラグ２１がジャック１１に完挿されたとして、機能切り替え部１５において、ジャック１１の端子J3ないしJ5と、電源機能としてのバッテリ、並びに、機能a及びbとをそれぞれ接続するとともに、機能切り替え部２５において、プラグ２１の端子P3ないしP5と、電源機能、並びに、機能a及びbとをそれぞれ接続することで、プラグ２１をジャック１１に挿入する途中の半挿状態において、電源供給端子P3が、電源受け取り端子ではない端子J#nやP#nと短絡しても、電源となる電力が、電源受け取り端子ではない端子に供給されること防止することができる。
【０４４６】
以下、上述のように、プラグ２１が完挿状態になってから、抜去される場合について説明する。
【０４４７】
図１５のＡは、図１４のＥと同様の完挿状態を示している。
【０４４８】
すなわち、図１５のＡでは、本来接続されるべきジャック１１の端子J1ないしJ5と、プラグ２１の端子P1ないしP5とが、それぞれ短絡している。さらに、機能切り替え部１５において、ジャック１１の端子J3ないしJ5と、電源機能としてのバッテリ、並びに、機能a及びbとが、それぞれ接続され、かつ、機能切り替え部２５において、プラグ２１の端子P3ないしP5と、電源機能、並びに、機能a及びbとがそれぞれ接続されている。
【０４４９】
図１５のＢは、図１５のＡの完挿状態から、プラグ２１をジャック１１から抜去する途中の半挿状態を示している。
【０４５０】
図１５のＢの半挿入状態では、完挿状態から、プラグ２１をジャック１１から抜去することが開始され、完挿状態では短絡していたジャック１１の端子J1とプラグ２１の端子P1との間が切断された状態になっている。
【０４５１】
ここで、ジャック１１及びプラグ２１は、図１２で説明したように、完挿状態から、プラグ２１を抜去する過程において、完挿状態で短絡している端子J#n及びP#nの中で、ジャック１１の最も挿入口側にある端子J1と、プラグ２１の最も根元側にある端子P1との接続が、最初に切断されるように構成されている。
【０４５２】
図１５のＢでは、端子J1とP1との接続だけが切断され、他の端子J2ないしJ5と端子P2ないしP5とのそれぞれの接続は、まだ維持されている。したがって、ジャック１１の電源受け取り端子J3と、プラグ２１の電源供給端子J3とは接続されており、電源供給端子P3からは、電力を供給すべき電源受け取り端子J3に、電源としての電力が供給される。
【０４５３】
端子J1及びP1には、多重化通信の機能が割り当てられているので、端子J1とP1との接続が切断されると、ホストデバイス１０とペリフェラルデバイス２０との間では、多重化通信を行うことができなくなる。
【０４５４】
図１５のＣは、上述のように、端子J1とP1との接続が切断され、ホストデバイス１０とペリフェラルデバイス２０との間で、多重化通信を行うことができなくなった直後の半挿状態を示している。
【０４５５】
ホストデバイス１０とペリフェラルデバイス２０との間で、多重化通信を行うことができなくなった場合には、ホストデバイス１０の送受信処理部１３において、多重化データを送受信することができない状態（通信不可状態）であることが、多重化データの通信状態として検出される。
【０４５６】
送受信処理部１３は、多重化データの通信状態として、通信不可状態を検出した場合、その旨を、制御部１４に供給し、制御部１４は、送受信処理部１３から、多重化データの通信状態が、通信不可状態である旨が供給されると、その通信不可状態に基づき、機能切り替え部１５を制御することにより、ジャック１１の端子J3ないしJ5と、電源機能としてのバッテリ、並びに、機能a及びbとのそれぞれの間を切断させる。
【０４５７】
同様に、ペリフェラルデバイス２０の送受信処理部２３において、通信不可状態であることが、多重化データの通信状態として検出される。
【０４５８】
送受信処理部２３は、多重化データの通信状態として、通信不可状態を検出した場合、その旨を、制御部２４に供給し、制御部２４は、送受信処理部２３から、多重化データの通信状態が、通信不可状態である旨が供給されると、その通信不可状態に基づき、機能切り替え部２５を制御することにより、プラグ２１の端子P3ないしP5と、電源機能、並びに、機能a及びbとのそれぞれの間を切断させる。
【０４５９】
図１５のＣでは、機能切り替え部１５において、ジャック１１の端子J3ないしJ5と、電源機能、並びに、機能a及びbとの間が、それぞれ切断されているとともに、機能切り替え部２５において、プラグ２１の端子P3ないしP5と、電源機能、並びに、機能a及びbとの間が、それぞれ切断されている。
【０４６０】
なお、図１５のＣでは、図１５のＢと同様に、端子J2ないしJ5と端子P2ないしP5とのそれぞれの接続は維持されている。したがって、ジャック１１の電源受け取り端子J3と、プラグ２１の電源供給端子J3とは接続されている。
【０４６１】
但し、図１５のＣでは、機能切り替え部１５において、ジャック１１の端子J3ないしJ5と、電源機能としてのバッテリ、並びに、機能a及びbとの間が切断され、機能切り替え部２５において、プラグ２１の端子P3ないしP5と、電源機能、並びに、機能a及びbとの間が切断されているので、電源供給端子P3から、その電源供給端子P3と接続（短絡）している電源受け取り端子J3に、電力は供給されない。
【０４６２】
図１５のＤは、図１５のＣの半挿状態から、さらに、プラグ２１がジャック１１から抜去された半挿状態を示している。
【０４６３】
図１５のＤでは、ジャック１１の端子J4と、プラグ２１の端子P5とが短絡するとともに、ジャック１１の電源受け取り端子J3と、機能aが割り当てられたプラグ２１の端子P4とが短絡している。
【０４６４】
また、図１５のＤでは、ジャック１１のGND端子J2と、プラグ２１の電源供給端子P3とが短絡するとともに、多重化通信の機能が割り当てられたジャック１１の端子J1と、プラグ２１のGND端子P2とが短絡している。
【０４６５】
したがって、電源供給端子P3が、電源受け取り端子ではないGND端子J2と短絡している。
【０４６６】
但し、図１５のＤでは、機能切り替え部１５において、ジャック１１の端子J3ないしJ5と、電源機能としてのバッテリ、並びに、機能a及びbとの間が切断され、機能切り替え部２５において、プラグ２１の端子P3ないしP5と、電源機能、並びに、機能a及びbとの間が切断されているので、電源供給端子P3から、その電源供給端子J3と短絡しているGND端子J2に、電力は供給されない。
【０４６７】
図１５のＥは、図１５のＤの半挿状態から、さらに、ジャック１１からプラグ２１が抜去され、プラグ２１がジャック１１から完全に抜去された抜去状態を示している。
【０４６８】
図１５のＥでは、機能切り替え部１５において、ジャック１１の端子J3ないしJ5と、電源機能、並びに、機能a及びbとの間が切断され、機能切り替え部２５において、プラグ２１の端子P3ないしP5と、電源機能、並びに、機能a及びbとの間が切断されている。
【０４６９】
また、抜去状態では、ジャック１１の端子J1ないしJ5と、プラグ２１の端子P1ないしP5とは、いずれも接続していない。
【０４７０】
したがって、電源供給端子J3から、電源受け取り端子でない端子に、電源としての電力が供給されることはない。
【０４７１】
以上のように、ホストデバイス１０からペリフェラルデバイス２０に、電源となる電力が供給される場合において、プラグ２１がジャック１１から抜去されるときには、多重化データの通信を行うことができなくなるまでは、機能切り替え部１５において、ジャック１１の端子J3ないしJ5と、電源機能、並びに、機能a及びbとをそれぞれ接続するとともに、機能切り替え部２５において、プラグ２１の端子P3ないしP5と、電源機能、並びに、機能a及びbとをそれぞれ接続し、多重化データの通信を行うことができなくなったことをもって、プラグ２１の抜去が開始されたとして、機能切り替え部１５において、ジャック１１の端子J3ないしJ5と、電源機能、並びに、機能a及びbとをそれぞれ切断するとともに、機能切り替え部２５において、プラグ２１の端子P3ないしP5と、電源機能、並びに、機能a及びbとをそれぞれ切断することで、プラグ２１をジャック１１から抜去する途中の半挿状態において、電源供給端子P3が、電源受け取り端子ではない端子J#nやP#nと短絡しても、電源となる電力が、電源受け取り端子ではない端子に供給されること防止することができる。
【０４７２】
上述の意図しない短絡の保護技術では、機能切り替え部１５において、ジャック１１の端子J3ないしJ5それぞれとの接続や切断を行うことによって、プラグ２１の挿抜時に、電源供給端子が、電源受け取り端子でない端子に短絡する電源短絡を防止することとしたが、電源短絡は、その他、例えば、ジャック１１の端子J#n及びプラグ２１の端子P#nへの電源機能の割り当て方によって防止することができる。
【０４７３】
図１６は、ホストデバイス１０からペリフェラルデバイス２０に、電源となる電力が供給される場合において、プラグ２１の挿抜時に、電源短絡を防止する方法を説明する図である。
【０４７４】
図１６では、ホストデバイス１０において、電源機能を有する機能ブロック１６ｋが、バッテリを内蔵しており、そのバッテリから、電源となる電力が供給される。
【０４７５】
また、図１６では、ホストデバイス１０の機能切り替え部１５において、電源機能、すなわち、電源となる電力を供給するバッテリが、ジャック１１の（プラグ２１を挿入する挿入口から見て）最も奥側の端子J5と接続されており、したがって、端子J5が、電源供給端子になっている。
【０４７６】
さらに、図１６では、ホストデバイス１０の機能切り替え部１５において、ジャック１１の端子J3は、機能bに接続され、端子J4は、機能aに接続されている。そして、端子J1は、多重化通信を行うための通信端子になっており、端子J2は、GND端子になっている。
【０４７７】
また、図１６では、ペリフェラルデバイス２０の機能切り替え部２５の図示を省略してある。
【０４７８】
ペリフェラルデバイス２０においては、プラグ２１の端子P1が、通信端子になっており、端子P3が、機能bに、端子P4が、機能aに、それぞれ接続されている。さらに、端子P2は、GND端子になっている。そして、ジャック１１の最も奥側の電源供給端子J5と短絡（接触）されるべきプラグ２１の最も先頭側の端子P5は、電源受け取り端子として、その電源受け取り端子P5に供給される電力を、電源として、機能a及びb（を有する機能ブロック２６ｌ）に供給するように、機能a及びbに接続されている。
【０４７９】
図１６のＡは、プラグ２１がジャック１１に完全に挿入された完挿状態を示している。
【０４８０】
図１６のＡでは、本来接続されるべきジャック１１の端子J1ないしJ5と、プラグ２１の端子P1ないしP5とが、それぞれ短絡している。
【０４８１】
完挿状態では、ホストデバイス１０のバッテリが供給する電力は、機能切り替え部１５、ジャック１１の電源供給端子J5、及び、プラグ２１の電源受け取り端子P5を介して、ペリフェラルデバイス２０の機能a及びb（を有する機能ブロック２６ｌ）に、電源として提供される。
【０４８２】
図１６のＢは、図１６のＡの完挿状態から、プラグ２１をジャック１１から抜去する途中の半挿状態を示している。
【０４８３】
図１６のＢの半挿入状態では、ジャック１１の端子J1は、プラグ２１の端子P2とP3との間の絶縁体に接触し、ジャック１１の端子J2は、プラグ２１の端子P3と短絡している。
【０４８４】
さらに、ジャック１１の端子J3は、プラグ２１の端子P4とP5との間の絶縁体に接触し、ジャック１１の端子J4は、プラグ２１の電源受け取り端子P5と短絡している。
【０４８５】
また、ジャック１１の電源供給端子J5は、プラグ２１のいずれの端子P#nとも短絡していない状態となっている。
【０４８６】
以上のように、ジャック１１の電源供給端子J5は、プラグ２１のいずれの端子P#nとも短絡していないので、電源供給端子J5から、電源受け取り端子でないプラグ２１の端子P#nに、電源となる電力が供給されることはない。
【０４８７】
図１６のＣは、図１６のＢの半挿状態から、さらに、ジャック１１からプラグ２１が抜去され、プラグ２１がジャック１１から完全に抜去された抜去状態を示している。
【０４８８】
抜去状態では、ジャック１１の端子J1ないしJ5のいずれも、プラグ２１の端子P1ないしP5のいずれとも接続していない。
【０４８９】
したがって、電源供給端子J5から、電源受け取り端子でないプラグ２１の端子P#nに、電源となる電力が供給されることはない。
【０４９０】
図１６のＤは、図１６のＣの抜去状態から、プラグ２１をジャック１１に挿入する途中の半挿状態を示している。
【０４９１】
図１６のＤの半挿状態では、ジャック１１及びプラグ２１の状態は、図１６のＢの半挿状態と同様になっている。
【０４９２】
したがって、ジャック１１の電源供給端子J5は、プラグ２１のいずれの端子P#nとも短絡しない状態となっているので、電源供給端子J5から、電源受け取り端子でないプラグ２１の端子P#nに、電源となる電力が供給されることはない。
【０４９３】
図１６のＥは、図１６のＤの半挿状態から、さらに、プラグ２１がジャック１１に挿入され、プラグ２１がジャック１１に完全に挿入された完挿状態を示している。
【０４９４】
完挿状態では、図１６のＡで説明したように、本来接続されるべきジャック１１の端子J1ないしJ5と、プラグ２１の端子P1ないしP5とが、それぞれ短絡する。
【０４９５】
したがって、完挿状態では、ホストデバイス１０のバッテリが供給する電力は、機能切り替え部１５、ジャック１１の電源供給端子J5、及び、プラグ２１の電源受け取り端子P5を介して、ペリフェラルデバイス２０の機能a及びbに、電源として提供される。
【０４９６】
以上のように、ホストデバイス１０の機能切り替え部１５において、電源となる電力を供給するバッテリと、ジャック１１の最も奥側の端子J5とを接続し、端子J5を、電源供給端子とするとともに、ペリフェラルデバイス２０のプラグ２１の最も先頭側の端子P5を、電源受け取り端子とする場合には、すなわち、ジャック１１の最も奥側の端子J5、及び、プラグ２１の最も先頭側の端子P5に、電源機能を割り当てる場合には、ジャック１１の最も奥側の電源供給端子J5は、プラグ２１の挿抜時に、そのプラグ２１の最も先頭側の電源受け取り端子P5としか短絡することがないので、ホストデバイス１０からペリフェラルデバイス２０に、電源となる電力が供給される場合において、プラグ２１の挿抜時に、ジャック１１の電源供給端子J5が、電源受け取り端子でない端子に短絡する電源短絡を防止することができる。
【０４９７】
なお、上述のように、ジャック１１の最も奥側の端子J5、及び、プラグ２１の最も先頭側の端子P5に、電源機能を割り当てることで、電源短絡を防止する場合において、ホストデバイス１０の後方互換性を維持するためには、既存のヘッドセットの3極や4極等のプラグがジャック１１に挿入され、その既存のヘッドセットが対応デバイスでないことが検出された後に、機能切り替え部１５において、既存のヘッドセットのプラグに適合するように、そのプラグの仕様に従って、ジャック１１の端子J#nの機能の割り当てを切り替える必要がある。
【０４９８】
ペリフェラルデバイス２０の後方互換性を維持する場合も、同様である。
【０４９９】
図１７は、ペリフェラルデバイス２０からホストデバイス１０に、電源となる電力が供給される場合において、プラグ２１の挿抜時に、電源短絡を防止する方法を説明する図である。
【０５００】
図１７では、ホストデバイス１０において、電源機能を有する機能ブロック１６ｋが、バッテリを内蔵しており、そのバッテリに、バッテリを充電する電源となる電力が供給される。
【０５０１】
また、図１７では、ホストデバイス１０の機能切り替え部１５において、電源機能、すなわち、電源となる電力の供給を受けるバッテリが、ジャック１１の最も挿入口側の端子J1と接続されており、したがって、端子J1が、電源受け取り端子になっている。
【０５０２】
さらに、図１７では、ホストデバイス１０の機能切り替え部１５において、ジャック１１の端子J4が、機能aに接続され、端子J5が、機能bに接続されている。そして、端子J2は、GND端子になっており、端子J3は、通信端子になっている。
【０５０３】
また、図１７では、ペリフェラルデバイス２０の機能切り替え部２５において、電源機能、すなわち、電源となる電力を供給する機能が、プラグ２１の最も根元側の端子P1に接続されており、したがって、端子P1が、電源供給端子になっている。
【０５０４】
さらに、図１７では、ペリフェラルデバイス２０の機能切り替え部２５において、プラグ２１の端子P4が、機能aに接続され、端子P5が、機能bに接続されている。そして、端子P2は、GND端子になっており、端子P3は、通信端子になっている。
【０５０５】
図１７のＡは、プラグ２１がジャック１１に完全に挿入された完挿状態を示している。
【０５０６】
図１７のＡでは、本来接続されるべきジャック１１の端子J1ないしJ5と、プラグ２１の端子P1ないしP5とが、それぞれ短絡している。
【０５０７】
完挿状態では、ペリフェラルデバイス２０の電源機能が供給する電源としての電力は、機能切り替え部２５、プラグ２１の電源供給端子P1、ジャック１１の電源受け取り端子J1、及び、機能切り替え部１５を介して、ホストデバイス１０のバッテリに供給される。
【０５０８】
図１７のＢは、図１７のＡの完挿状態から、プラグ２１をジャック１１から抜去する途中の半挿状態を示している。
【０５０９】
図１７のＢの半挿入状態では、ジャック１１の端子J1は、プラグ２１のGND端子P2と短絡し、ジャック１１の端子J2は、プラグ２１の端子P2とP3との間の絶縁体に接触している。
【０５１０】
さらに、ジャック１１の端子J3は、プラグ２１の端子P3とP4との間の絶縁体に接触し、ジャック１１の端子J4は、プラグ２１の端子P4とP5との間の絶縁体に接触している。
【０５１１】
また、ジャック１１の端子J5は、プラグ２１の端子P5と短絡し、プラグ２１の電源供給端子P1は、ジャック１１のいずれの端子J#nとも短絡しない状態となっている。
【０５１２】
以上のように、プラグ２１の電源供給端子P1は、ジャック１１のいずれの端子J#nとも短絡していないので、電源供給端子P1から、電源受け取り端子でないジャック１１の端子J#nに、電源となる電力が供給されることはない。
【０５１３】
図１７のＣは、図１７のＢの半挿状態から、さらに、ジャック１１からプラグ２１が抜去され、プラグ２１がジャック１１から完全に抜去された抜去状態を示している。
【０５１４】
抜去状態では、ジャック１１の端子J1ないしJ5のいずれも、プラグ２１の端子P1ないしP5のいずれとも接続していない。
【０５１５】
したがって、電源供給端子P1から、電源受け取り端子でないジャック１１の端子J#nに、電源となる電力が供給されることはない。
【０５１６】
図１７のＤは、図１７のＣの抜去状態から、プラグ２１をジャック１１に挿入する途中の半挿状態を示している。
【０５１７】
図１７のＤの半挿状態では、ジャック１１及びプラグ２１の状態は、図１７のＢの半挿状態と同様になっている。
【０５１８】
したがって、プラグ２１の電源供給端子P1は、ジャック１１のいずれの端子J#nとも短絡しない状態となっているので、電源供給端子P1から、電源受け取り端子でないジャック１１の端子J#nに、電源となる電力が供給されることはない。
【０５１９】
図１７のＥは、図１７のＤの半挿状態から、さらに、プラグ２１がジャック１１に挿入され、プラグ２１がジャック１１に完全に挿入された完挿状態を示している。
【０５２０】
完挿状態では、図１７のＡで説明したように、本来接続されるべきジャック１１の端子J1ないしJ5と、プラグ２１の端子P1ないしP5とが、それぞれ短絡する。
【０５２１】
したがって、完挿状態では、ペリフェラルデバイス２０の電源機能が提供（供給）する電力は、機能切り替え部２５、プラグ２１の電源供給端子P1、ジャック１１の電源受け取り端子J1、及び、機能切り替え部１５を介して、バッテリに、電源として提供される。
【０５２２】
以上のように、ホストデバイス１０の機能切り替え部１５において、電源となる電力の供給を受けるバッテリと、ジャック１１の最も挿入口側の端子J1とを接続し、端子J1を、電源受け取り端子とするとともに、ペリフェラルデバイス２０の機能切り替え部２５において、電源機能（電源となる電力を供給する機能）と、プラグ２１の最も根元側の端子P1とを接続し、端子P1を、電源供給端子とする場合には、すなわち、ジャック１１の最も挿入口側の端子J1、及び、プラグ２１の最も根元側の端子P1に、電源機能を割り当てる場合には、プラグ２１の最も根元側の電源供給端子P1は、プラグ２１の挿抜時に、ジャック１１の最も挿入口側の電源受け取り端子J1としか短絡することがないので、ペリフェラルデバイス２０からホストデバイス１０に、電源となる電力が供給される場合において、プラグ２１の挿抜時に、プラグ２１の電源供給端子P1が、電源受け取り端子でない端子に短絡する電源短絡を防止することができる。
【０５２３】
なお、ジャック１１の最も挿入口側の端子J1、及び、プラグ２１の最も根元側の端子P1に、電源機能を割り当てることで、上述のように、電源短絡を防止する場合において、ホストデバイス１０の後方互換性を維持するためには、既存のヘッドセットの3極や4極等のプラグがジャック１１に挿入され、その既存のヘッドセットが対応デバイスでないことが検出された後に、機能切り替え部１５において、既存のヘッドセットのプラグに適合するように、そのプラグの仕様に従って、ジャック１１の端子J#nの機能の割り当てを切り替える必要がある。
【０５２４】
ペリフェラルデバイス２０の後方互換性を維持する場合も、同様である。
【０５２５】
また、電源短絡を、ジャック１１の端子J#n及びプラグ２１の端子P#nへの電源機能の割り当て方によって防止する場合において、ホストデバイス１０からペリフェラルデバイス２０に、電源となる電力が供給されるときには、図１６で説明したように、ジャック１１の最も奥側の端子J5、及び、プラグ２１の最も先頭側の端子P5に、電源機能を割り当てる必要がある。一方、ペリフェラルデバイス２０からホストデバイス１０に、電源となる電力が供給されるときには、図１７で説明したように、ジャック１１の最も挿入口側の端子J1、及び、プラグ２１の最も根元側の端子P1に、電源機能を割り当てる必要がある。
【０５２６】
したがって、ホストデバイス１０からペリフェラルデバイス２０に、電源となる電力が供給されるときと、ペリフェラルデバイス２０からホストデバイス１０に、電源となる電力が供給されるときとの両方に対応するには、切り替え部１５及び２５において、電源となる電力が供給される方向に応じて、電源機能を割り当てる端子J#n及びP#nを、それぞれ変更する必要がある。
【０５２７】
＜本技術を適用したコンピュータの説明＞
【０５２８】
次に、上述した送受信処理部１３及び２３や、制御部１４及び２４、並びに、信号処理部１８等の一連の処理は、ハードウェアにより行うこともできるし、ソフトウェアにより行うこともできる。一連の処理をソフトウェアによって行う場合には、そのソフトウェアを構成するプログラムが、例えば、マイクロコンピュータ等のコンピュータにインストールされる。
【０５２９】
そこで、図１８は、上述した一連の処理を実行するプログラムがインストールされるコンピュータの一実施の形態の構成例を示している。
【０５３０】
プログラムは、コンピュータに内蔵されている記録媒体としてのハードディスク１０５やROM１０３に予め記録しておくことができる。
【０５３１】
あるいはまた、プログラムは、リムーバブル記録媒体１１１に格納（記録）しておくことができる。このようなリムーバブル記録媒体１１１は、いわゆるパッケージソフトウエアとして提供することができる。ここで、リムーバブル記録媒体１１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０５３２】
なお、プログラムは、上述したようなリムーバブル記録媒体１１１からコンピュータにインストールする他、通信網や放送網を介して、コンピュータにダウンロードし、内蔵するハードディスク１０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０５３３】
コンピュータは、CPU(Central Processing Unit)１０２を内蔵しており、CPU１０２には、バス１０１を介して、入出力インタフェース１１０が接続されている。
【０５３４】
CPU１０２は、入出力インタフェース１１０を介して、ユーザによって、入力部１０７が操作等されることにより指令が入力されると、それに従って、ROM(Read Only Memory)１０３に格納されているプログラムを実行する。あるいは、CPU１０２は、ハードディスク１０５に格納されたプログラムを、RAM(Random Access Memory)１０４にロードして実行する。
【０５３５】
これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、出力部１０６から出力、あるいは、通信部１０８から送信、さらには、ハードディスク１０５に記録等させる。
【０５３６】
なお、入力部１０７は、キーボードや、マウス、マイク等で構成することができる。また、出力部１０６は、LCD(Liquid Crystal Display)やスピーカ等で構成することができる。
【０５３７】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０５３８】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０５３９】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０５４０】
なお、本技術の実施の形態は、上述した実施の形態に限定されるものではなく、本技術の要旨を逸脱しない範囲において種々の変更が可能である。
【０５４１】
例えば、本技術は、１つの機能をネットワークを介して複数の装置で分担、共同して処理するクラウドコンピューティングの構成をとることができる。
【０５４２】
また、上述のフローチャートで説明した各ステップは、１つの装置で実行する他、複数の装置で分担して実行することができる。
【０５４３】
さらに、１つのステップに複数の処理が含まれる場合には、その１つのステップに含まれる複数の処理は、１つの装置で実行する他、複数の装置で分担して実行することができる。
【０５４４】
また、本明細書に記載された効果はあくまで例示であって限定されるものではなく、他の効果があってもよい。
【０５４５】
例えば、プラグ２１は、単頭プラグでないプラグを採用することができる。ジャック１１についても、同様である。
【０５４６】
また、5極のジャック１１を有するホストデバイス１０、及び、5極のプラグ２１を有するペリフェラルデバイス２０では、ジャック１１の5個の端子J1ないしJ5のすべてに割り当てる機能を、機能切り替え部１５で切り替えるとともに、プラグ２１の5個の端子P1ないしP5のすべてに割り当てる機能を、機能切り替え部２５で切り替えることにより、GNDを含む5種類以下の信号をやりとりする信号ラインを必要とする信号規格でのデータ伝送を実現することができる。
【０５４７】
例えば、5個の端子セット(J1,P1)ないし(J5,P5)のうちの任意の4個の端子セット(J#n,P#n)に、USBのD+、D-、電源（+5V）、及び、GNDを割り当てることで、USBでのデータ伝送を実現することができる。なお、この場合、残った1個の端子セット(J#n,P#n)には、例えば、多重化通信の機能を割り当てることができる。
【０５４８】
具体的には、例えば、5個の端子セット(J1,P1)ないし(J5,P5)のうちの端子セット(J1,P1)以外の4個の端子セット(J#n,P#n)に、USBのD+、D-、電源（+5V）、及び、GNDをそれぞれ割り当て、端子セット(J1,P1)に、多重化通信の機能を割り当てることができる。この場合、端子セット(J1,P1)の通信状態に応じて、プラグ２１の挿抜を検出し、プラグ２１の挿入時と抜去時に、機能切り替え部１５及び２５において、電源機能（電源（+5V））が割り当てられた端子セットの、電源機能との接続を切断することで、意図しない短絡の保護技術を実現することができる。
【０５４９】
また、5個の端子セット(J1,P1)ないし(J5,P5)のうちの端子セット(J1,P1)以外の4個の端子セット(J#n,P#n)には、USBのD+、D-、電源（+5V）、及び、GNDをそれぞれ割り当て、端子セット(J1,P1)の端子J1又はP1には、例えば、抵抗でプルアップされた信号線を割り当てる（接続する）ことができる。この場合、端子J1やP1のプルアップへの遷移、又は、プルダウンへの遷移によって、プラグ２１の挿抜を検出することができる。
【０５５０】
また、例えば、5個の端子セット(J1,P1)ないし(J5,P5)には、MHL(Mobile High-definition Link)のMHL+、MHL-、電源（+5V）、GND、及び、CBUS(Control Bus)をそれぞれ割り当てることができる。この場合、MHLでのデータ伝送を実現することができる。
【０５５１】
5個の端子セット(J1,P1)ないし(J5,P5)に、MHLのMHL+、MHL-、電源（+5V）、GND、及び、CBUSをそれぞれ割り当てる場合において、ジャック１１の最も挿入口側の端子J1と、プラグ２１の最も根元側の端子P1との端子セット(J1,P1)に、例えば、CBUSを割り当てるときには、そのCBUSを介しての通信状態に応じて、プラグ２１の挿抜を検出することができる。
【０５５２】
なお、ジャック１１の最も挿入口側の端子J1と、プラグ２１の最も根元側の端子P1との端子セット(J1,P1)に多重化通信その他の通信の機能が割り当てられる場合には、ジャック１１の最も挿入口側の端子J1と、プラグ２１の最も根元側の端子P1との端子セット(J1,P1)の通信状態に応じて、プラグ２１の挿抜を検出し、プラグ２１の挿入時と抜去時に、機能切り替え部１５及び２５において、ジャック１１の端子及びプラグ２１の端子と、その端子に割り当てられた機能との接続をそれぞれ切断することで、意図しない短絡の保護技術を実現することができる。
【０５５３】
さらに、例えば、ペリフェラルデバイス２０のプラグ２１としては、5極の多極単頭プラグに代えて、4極の多極単頭プラグを採用し、ホストデバイス１０のジャック１１としては、プラグ２１としての4極の多極単頭プラグに対応する4極の多極単頭ジャックを採用することができる。
【０５５４】
この場合、4極の多極単頭ジャックであるジャック１１の奥側から手前側に向かう4個の端子には、例えば、それぞれ、スピーカ出力（左）、スピーカ出力（右）、GND、及び、多重化通信の機能を、デフォルトの機能として割り当てることができる。
【０５５５】
さらに、4極の多極単頭プラグであるプラグ２１が、4極の多極単頭ジャックであるジャック１１に挿入された場合には、例えば、ホストデバイス１０において、ペリフェラルデバイス２０のデバイス情報に応じて、ジャック１１の奥側から手前側に向かう4個の端子に割り当てる機能を、それぞれ、スピーカ出力（モノラル）、電源、GND、及び、多重化通信の機能に切り替え、ホストデバイス１０からペリフェラルデバイス２０に、ある程度の容量の電源となる電力を供給することができる。
【０５５６】
また、例えば、ホストデバイス１０では、ペリフェラルデバイス２０のデバイス情報に応じて、ジャック１１の奥側から手前（挿入口）側に向かう4個の端子に割り当てる機能を、それぞれ、多重化通信（多重化データの送信用）、多重化通信（多重化データの受信用）、GND、及び、多重化通信（多重化データの受信用）の機能に切り替えることができる。
【０５５７】
この場合、ホストデバイス１０が、ペリフェラルデバイス２０に多重化データを送信する専用の信号ラインと、ペリフェラルデバイス２０から送信されてくる多重化データを受信する専用の信号ラインとが、独立に設けられるので、ペリフェラルデバイス２０への多重化データの送信と、ペリフェラルデバイス２０から送信されてくる多重化データの受信との双方向の通信を、独立に行うことができる。
【０５５８】
さらに、この場合、ホストデバイス１０が、ペリフェラルデバイス２０から送信されてくる多重化データを受信する専用の信号ラインが、2ライン設けられるので、ペリフェラルデバイス２０からホストデバイス１０に送信する多重化データに多重化する信号のチャンネル数の拡張や、その多重化データの通信帯域の拡大を図ることができる。
【０５５９】
なお、ジャック１１の端子J#nやプラグ２１の端子P#nに割り当てる機能は、上述した機能に限定されるものではない。すなわち、ジャック１１の端子J#nやプラグ２１の端子P#nには、機能切り替え部１５や２５において、例えば、I2CのCLOCKやDATA信号、1-wireの通信信号（を伝送する機能）等を割り当てることができ、これにより、ジャック１１やプラグ２１を、様々なデバイスに対応する柔軟なインターフェースとして使用することができる。
【０５６０】
なお、本技術は、以下の構成をとることができる。
【０５６１】
＜１＞
ジャックを有するジャックデバイスの前記ジャックに挿入される多極プラグと、
物理量を電気信号に変換、又は、電気信号を物理量に変換する変換部と、
前記ジャックデバイスが、前記変換部に入出力される前記電気信号を多重化した多重化データを扱うことができる対応デバイスであるかどうかを検出する検出部と、
前記ジャックデバイスが前記対応デバイスである場合に、前記多重化データを、前記多極プラグの所定の端子を介して送信又は受信する送受信処理部と、
前記多極プラグの前記所定の端子以外の端子の電気的な機能の割り当てを行う機能切り替え部と
を備えるペリフェラルデバイス。
＜２＞
前記機能切り替え部は、前記対応デバイスに基づいて、前記所定の端子以外の端子の電気的な機能の割り当てを行う
＜１＞に記載のペリフェラルデバイス。
＜３＞
前記機能切り替え部は、前記対応デバイスに関するデバイス情報に基づいて、前記所定の端子以外の端子の電気的な機能の割り当てを行う
＜２＞に記載のペリフェラルデバイス。
＜４＞
前記デバイス情報は、前記送受信処理部が受信する、前記対応デバイスからの多重化データに含まれる
＜３＞に記載のペリフェラルデバイス。
＜５＞
前記多極プラグは、単頭プラグである
＜１＞ないし＜４＞のいずれかに記載のペリフェラルデバイス。
＜６＞
前記所定の端子は、前記多極プラグの最も根元側の端子である
＜１＞ないし＜５＞のいずれかに記載のペリフェラルデバイス。
＜７＞
前記機能切り替え部は、複数の機能の中から、前記所定の端子以外の端子に割り当てる電気的な機能を選択する
＜１＞ないし＜６＞のいずれかに記載のペリフェラルデバイス。
＜８＞
前記機能切り替え部が前記所定の端子以外の端子に割り当てる電気的な機能には、電源を授受する機能が含まれる
＜１＞ないし＜７＞のいずれかに記載のペリフェラルデバイス。
＜９＞
前記所定の端子以外の1個の端子に、電源を授受する機能が割り当てられ、前記1個の端子から、前記対応デバイスに、電源となる電力が供給される場合において、
前記所定の端子を介しての前記多重化データの通信状態に応じて、前記電源となる電力の供給を制御する
＜８＞に記載のペリフェラルデバイス。
＜１０＞
ジャックを有するジャックデバイスの前記ジャックに挿入される多極プラグと、
物理量を電気信号に変換、又は、電気信号を物理量に変換する変換部と、
前記ジャックデバイスが、前記変換部に入出力される前記電気信号を多重化した多重化データを扱うことができる対応デバイスであるかどうかを検出する検出部と、
前記ジャックデバイスが前記対応デバイスである場合に、前記多重化データを、前記多極プラグの所定の端子を介して送信又は受信する送受信処理部と
を備えるペリフェラルデバイスが、
前記多極プラグの前記所定の端子以外の端子の電気的な機能の割り当てを行う
ステップを含むペリフェラルデバイスの処理方法。
＜１１＞
多極プラグを有するプラグデバイスの前記多極プラグが挿入される多極ジャックと、
前記プラグデバイスが、物理量を電気信号に変換、又は、電気信号を物理量に変換する変換部に入出力される前記電気信号を多重化した多重化データを扱うことができる対応デバイスであるかどうかを検出する検出部と、
前記プラグデバイスが前記対応デバイスである場合に、前記多重化データを、前記多極ジャックの所定の端子を介して送信又は受信する送受信処理部と
前記多極ジャックの前記所定の端子以外の端子の電気的な機能の割り当てを行う機能切り替え部と
を備えるホストデバイス。
＜１２＞
前記機能切り替え部は、前記対応デバイスに基づいて、前記所定の端子以外の端子の電気的な機能の割り当てを行う
＜１１＞に記載のホストデバイス。
＜１３＞
前記機能切り替え部は、前記対応デバイスに関するデバイス情報に基づいて、前記所定の端子以外の端子の電気的な機能の割り当てを行う
＜１２＞に記載のホストデバイス。
＜１４＞
前記デバイス情報は、前記送受信処理部が受信する、前記対応デバイスからの多重化データに含まれる
＜１３＞に記載のホストデバイス。
＜１５＞
前記多極ジャックは、単頭プラグが挿入される単頭ジャックである
＜１１＞ないし＜１４＞のいずれかに記載のホストデバイス。
＜１６＞
前記所定の端子は、前記多極ジャックの最も挿入口側の端子である
＜１１＞ないし＜１５＞のいずれかに記載のホストデバイス。
＜１７＞
前記機能切り替え部は、複数の機能の中から、前記所定の端子以外の端子に割り当てる電気的な機能を選択する
＜１１＞ないし＜１６＞のいずれかに記載のホストデバイス。
＜１８＞
前記機能切り替え部が前記所定の端子以外の端子に割り当てる電気的な機能には、電源を授受する機能が含まれる
＜１１＞ないし＜１７＞のいずれかに記載のホストデバイス。
＜１９＞
前記所定の端子以外の1個の端子に、電源を授受する機能が割り当てられ、前記1個の端子から、前記対応デバイスに、電源となる電力が供給される場合において、
前記所定の端子を介しての前記多重化データの通信状態に応じて、前記電源となる電力の供給を制御する
＜１８＞に記載のホストデバイス。
＜２０＞
多極プラグを有するプラグデバイスの前記多極プラグが挿入される多極ジャックと、
前記プラグデバイスが、物理量を電気信号に変換、又は、電気信号を物理量に変換する変換部に入出力される前記電気信号を多重化した多重化データを扱うことができる対応デバイスであるかどうかを検出する検出部と、
前記プラグデバイスが前記対応デバイスである場合に、前記多重化データを、前記多極ジャックの所定の端子を介して送信又は受信する送受信処理部と
を備えるホストデバイスが、
前記多極ジャックの前記所定の端子以外の端子の電気的な機能の割り当てを行う
ステップを含むホストデバイスの処理方法。
【符号の説明】
【０５６２】
１０  ホストデバイス，  １１  ジャック，  １２  対応検出部，  １３  送受信処理部，  １４  制御部，  １５  機能切り替え部，  １６１ないし１６Ｋ  機能ブロック，  １７  記憶部，  １８  信号処理部，  ２１  プラグ，  ２２  対応検出部，  ２３  送受信処理部，  ２４  制御部，  ２５  機能切り替え部，  ２６１ないし２６Ｌ  機能ブロック，  ２７  記憶部，  ２８１ないし２８Ｒ  I/F，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
2015204166.tif 000003
【図２】
2015204166.tif 000004
【図３】
2015204166.tif 000005
【図４】
2015204166.tif 000006
【図５】
2015204166.tif 000007
【図６】
2015204166.tif 000008
【図７】
2015204166.tif 000009
【図８】
2015204166.tif 000010
【図９】
2015204166.tif 000011
【図１０】
2015204166.tif 000012
【図１１】
2015204166.tif 000013
【図１２】
2015204166.tif 000014
【図１３】
2015204166.tif 000015
【図１４】
2015204166.tif 000016
【図１５】
2015204166.tif 000017
【図１６】
2015204166.tif 000018
【図１７】
2015204166.tif 000019
【図１８】
2015204166.tif 000020